(57)【要約】【課題】無線装置と、当該無線装置に適した無線制御装置と、の間に通信リンクを確立できる。【解決手段】中継装置２０は、無線装置３０が接続されるとともに、複数の中継装置２０を介して複数の無線制御装置１０と接続される。中継装置２０は、無線装置３０に関する情報を複数の無線制御装置１０へ送信する。中継装置２０は、複数の無線制御装置１０からの上記情報に対する応答に基づいて、複数の無線制御装置１０のうちの１つを選択する。中継装置２０は、無線装置３０と選択した無線制御装置１０との間の通信リンクを確立する。【選択図】図１
2016167696.tif 000002
【特許請求の範囲】
【請求項１】
無線装置が接続されるとともに、複数の中継装置を介して複数の無線制御装置と接続された中継装置であって、
前記無線装置に関する情報を前記複数の無線制御装置へ送信し、前記複数の無線制御装置からの前記情報に対する応答に基づいて、前記複数の無線制御装置のうちの１つを選択し、前記無線装置と前記選択した無線制御装置との間の通信リンクを確立する、中継装置。
【請求項２】
請求項１に記載の中継装置であって、
前記無線制御装置は、ベースバンド処理を行ない、
前記無線装置は、前記無線制御装置からの信号に基づいて無線信号を増幅する増幅器を有し、前記増幅された無線信号をアンテナから送信する、中継装置。
【請求項３】
請求項１又は請求項２に記載の中継装置であって、
前記無線装置と前記無線制御装置との間に通信リンクが確立される場合に前記無線制御装置により設定される、前記無線装置と無線機器との間の無線リンクに関する情報を記憶する記憶部と、
前記無線リンクに関する情報に基づいて、前記通信リンクにおける中継装置間の伝送レートを制御する制御部と、
を備える、中継装置。
【請求項４】
請求項３に記載の中継装置であって、
前記伝送レートの前記制御は、
前記通信リンクにおいて、前記無線制御装置又は前記無線装置からデータを受信し、
前記無線リンクに関する情報に基づいて、前記受信したデータの中から一部のデータを選択し、
前記通信リンクにおいて、前記選択したデータを前記複数の中継装置のうちの他の中継装置へ送信する、
ことを含む、中継装置。
【請求項５】
請求項３又は請求項４に記載の中継装置であって、
前記伝送レートの前記制御は、
前記通信リンクにおいて、前記複数の中継装置のうちの他の中継装置からデータを受信し、
前記無線リンクに関する情報に基づいて付加データを決定し、
前記通信リンクにおいて、前記受信したデータに、前記決定した付加データが付加されたデータを前記無線制御装置又は前記無線装置へ送信する、
ことを含む、中継装置。
【請求項６】
請求項３乃至請求項５のいずれか一項に記載の中継装置であって、
前記無線リンクに関する情報は、システム帯域幅、及び、無線信号の送受信方式の少なくとも１つを含む、中継装置。
【請求項７】
請求項３乃至請求項６のいずれか一項に記載の中継装置であって、
前記無線リンクに関する情報は、前記無線装置から前記無線制御装置へ送信された情報に基づいて前記無線制御装置により設定される、中継装置。
【請求項８】
請求項１乃至請求項７のいずれか一項に記載の中継装置であって、
前記無線装置が前記中継装置に新たに接続されたことを検出し、
前記接続の前記検出に応じて、前記無線装置に関する情報の前記送信を行なう、中継装置。
【請求項９】
請求項１乃至請求項８のいずれか一項に記載の中継装置であって、
前記無線制御装置により送信された、通信リンクにおける通信先の変更を要求する接続変更依頼を受信し、
前記接続変更依頼の前記受信に応じて、前記無線装置に関する情報の前記送信を行なう、中継装置。
【請求項１０】
請求項９に記載の中継装置であって、
前記接続変更依頼の前記受信に応じて、前記接続変更依頼の送信元である前記無線制御装置へ、前記通信リンクの解除を指示する接続解除指示を送信する、中継装置。
【請求項１１】
通信システムであって、
無線装置と、
複数の無線制御装置と、
前記無線装置及び前記複数の無線制御装置が接続された複数の中継装置と、
を備え、
前記複数の中継装置のうちの、前記無線装置が接続されるとともに、他の複数の中継装置を介して前記複数の無線制御装置と接続された第１の中継装置は、前記無線装置に関する情報を前記他の複数の中継装置へ送信し、
前記他の複数の中継装置は、前記無線装置に関する情報を前記複数の無線制御装置へ送信し、前記複数の無線制御装置からの前記無線装置に関する情報に対する応答を前記第１の中継装置へ送信し、
前記第１の中継装置は、前記他の複数の中継装置からの前記応答に基づいて、前記複数の無線制御装置のうちの１つを選択し、前記無線装置と前記選択した無線制御装置との間の通信リンクを確立する、通信システム。
【請求項１２】
請求項１１に記載の通信システムであって、
前記第１の中継装置及び前記他の複数の中継装置のうちの前記選択された無線制御装置が接続された第２の中継装置のそれぞれは、前記通信リンクが確立される場合に前記無線制御装置により設定される、前記無線装置と無線機器との間の無線リンクに関する情報を記憶する記憶部を備え、
前記第１の中継装置は、前記通信リンクにおいて、前記無線装置からデータを受信し、前記無線リンクに関する情報に基づいて、前記受信したデータの中から一部のデータを選択し、前記通信リンクにおいて、前記選択したデータを前記複数の中継装置のうちの他の中継装置へ送信する第１の制御部を備え、
前記第２の中継装置は、前記通信リンクにおいて、前記複数の中継装置のうちの他の中継装置からデータを受信し、前記無線リンクに関する情報に基づいて付加データを決定し、前記通信リンクにおいて、前記受信したデータに、前記決定した付加データが付加されたデータを前記無線制御装置へ送信する第２の制御部を備える、通信システム。
【請求項１３】
請求項１２に記載の通信システムであって、
前記無線リンクに関する情報は、システム帯域幅、及び、無線信号の送受信方式の少なくとも１つを含む、通信システム。
【請求項１４】
請求項１２又は請求項１３に記載の通信システムであって、
前記無線リンクに関する情報は、前記無線装置から前記無線制御装置へ送信された情報に基づいて前記無線制御装置により設定される、通信システム。
【請求項１５】
請求項１１乃至請求項１４のいずれか一項に記載の通信システムであって、
前記第１の中継装置は、
前記無線装置が前記第１の中継装置に新たに接続されたことを検出し、
前記接続の前記検出に応じて、前記無線装置に関する情報の前記送信を行なう、通信システム。
【請求項１６】
請求項１１乃至請求項１５のいずれか一項に記載の通信システムであって、
前記第２の中継装置は、前記無線制御装置により送信された、通信リンクにおける通信先の変更を要求する接続変更依頼を受信し、前記接続変更依頼を前記第１の中継装置へ送信し、
前記第１の中継装置は、前記接続変更依頼を通信装置から受信し、前記接続変更依頼の前記受信に応じて、前記無線装置に関する情報の前記送信を行なう、通信システム。
【請求項１７】
請求項１６に記載の通信システムであって、
前記第１の中継装置は、前記接続変更依頼の前記受信に応じて、前記接続変更依頼の送信元である前記無線制御装置へ、前記通信リンクの解除を指示する接続解除指示を送信する、通信システム。
【発明の詳細な説明】
【技術分野】
【０００１】
本発明は、中継装置、及び、通信システムに関する。
【背景技術】
【０００２】
複数のＢＢＵ（Ｂａｓｅ  Ｂａｎｄ  Ｕｎｉｔ）と、複数のＲＲＨ（Ｒａｄｉｏ  Ｒｅｍｏｔｅ  Ｈｅａｄ）と、複数の中継装置と、を備える通信システムが知られている（例えば、特許文献１乃至４を参照）。
【０００３】
無線通信システムにおいて、ＲＲＨの通信先となるＢＢＵを変更できないことがある。この場合、無線エリアにおける通信トラヒックが特定のＢＢＵに集中することがある。従って、無線エリアにおける通信トラヒック量、及び、ＢＢＵとＲＲＨとの間の伝送レートの最悪値に応じた通信システムを用意しないと、無線エリアにおける伝送レートが過小となることがある。このため、ＣＡＰＥＸ、及び、ＯＰＥＸが過大となることがある。ＣＡＰＥＸは、Ｃａｐｉｔａｌ  Ｅｘｐｅｎｄｉｔｕｒｅの略記である。ＯＰＥＸは、Ｏｐｅｒａｔｉｎｇ  Ｅｘｐｅｎｄｉｔｕｒｅの略記である。
【０００４】
無線エリアの大きさの縮小とともに無線エリアの数の増加（換言すると、無線エリア密度の増加）が行なわれることがある。無線エリア密度は、単位面積あたりの無線エリアの数を表す。無線エリア密度が増加するほど、通信トラヒックが集中するＢＢＵの数も増加する。換言すると、無線エリア密度が増加するほど、ＢＢＵ及びＲＲＨの利用効率は低下する。そこで、無線通信システムにおいて、ＲＲＨの通信先となるＢＢＵを変更可能とすることにより、通信トラヒックを分散することができる。この結果、ＢＢＵ及びＲＲＨの利用効率を高めることができる。
【０００５】
通信システムは、ＢＢＵとＲＲＨとを複数の中継装置を介して接続する。通信システムは、あるＲＲＨの通信先のＢＢＵに障害が発生した場合、当該ＲＲＨの通信先を、予め定められた他のＢＢＵに切り替える。
【先行技術文献】
【特許文献】
【０００６】
【特許文献１】特開２０１４−１２１０５４号公報
【特許文献２】特開２００９−２３１９７０号公報
【特許文献３】特開２０１４−１１０５７４号公報
【特許文献４】特開２０１１−１１４６８９号公報
【発明の概要】
【発明が解決しようとする課題】
【０００７】
ところで、上記通信システムにおいて、ＲＲＨは、中継装置が備えるポートに接続される。更に、上記通信システムは、中継装置が備えるポートに対応付けてＢＢＵを記憶し、ＲＲＨが接続されたポートに対応付けて記憶されたＢＢＵを、当該ＲＲＨの通信先として用いる。
【０００８】
従って、例えば、上記通信システムは、ＲＲＨが中継装置に新たに接続された場合、ＲＲＨの通信先として、当該ＲＲＨに適さないＢＢＵを用いることがある。
また、例えば、上記通信システムは、ＲＲＨの通信先のＢＢＵの負荷が相対的に高くなった場合に、当該ＲＲＨの通信先を、相対的に負荷が低いＢＢＵに切り替えられないことがある。
このように、上記通信システムは、ＲＲＨと、当該ＲＲＨに適したＢＢＵと、の間に通信リンクを確立できないことがある。
【０００９】
一つの側面として、本発明の目的の一つは、無線装置と、当該無線装置に適した無線制御装置と、の間に通信リンクを確立することにある。
【課題を解決するための手段】
【００１０】
一つの側面では、中継装置は、無線装置が接続されるとともに、複数の中継装置を介して複数の無線制御装置と接続される。中継装置は、上記無線装置に関する情報を上記複数の無線制御装置へ送信する。中継装置は、上記複数の無線制御装置からの上記情報に対する応答に基づいて、上記複数の無線制御装置のうちの１つを選択する。中継装置は、上記無線装置と上記選択した無線制御装置との間の通信リンクを確立する。
【発明の効果】
【００１１】
無線装置と、当該無線装置に適した無線制御装置と、の間に通信リンクを確立できる。
【図面の簡単な説明】
【００１２】
【図１】第１実施形態に係る無線通信システムの構成の一例を表すブロック図である。
【図２】図１に示すＲＥＣの構成の一例を表すブロック図である。
【図３】図１に示す中継装置が送信する接続変更通知に含まれる情報の一例を表すテーブルである。
【図４】図１に示す中継装置が送信する接続変更応答に含まれる情報の一例を表すテーブルである。
【図５】図１に示す中継装置が送信する接続変更指示に含まれる情報の一例を表すテーブルである。
【図６】図１に示すＲＥＣが設定するセル設定情報の一例を表すテーブルである。
【図７】図１に示すＲＥＣの構成の一例を表すブロック図である。
【図８】図１に示す中継装置の構成の一例を表すブロック図である。
【図９】図１に示す中継装置が送信する接続変更依頼に含まれる情報の一例を表すテーブルである。
【図１０】図１に示す中継装置が実行する削減処理及び補填処理の一例を表す説明図である。
【図１１】図１に示す中継装置が実行する削減処理及び補填処理の一例を表す説明図である。
【図１２】図１に示す中継装置が実行する削減処理及び補填処理の一例を表す説明図である。
【図１３】図１に示す中継装置が実行する削減処理及び補填処理の一例を表す説明図である。
【図１４】変形例に係る中継装置が実行する削減処理及び補填処理の一例を表す説明図である。
【図１５】図１に示す無線通信システムの動作の一例を表すシーケンス図である。
【図１６】図１に示す無線通信システムの動作の一例を表す説明図である。
【図１７】図１に示すＲＥＣが実行する処理の一例を表すフローチャートである。
【図１８】図１に示す中継装置が送信する接続変更応答に含まれる情報の一例を表すテーブルである。
【図１９】図１に示すＲＥＣが実行する処理の一例を表すフローチャートである。
【図２０】図１に示す無線通信システムの動作の一例を表すシーケンス図である。
【図２１】図１に示す無線通信システムの動作の一例を表す説明図である。
【図２２】変形例に係る無線通信システムの構成の一例を表すブロック図である。
【発明を実施するための形態】
【００１３】
中継装置間の通信路の容量、及び、中継装置の処理能力に起因して、中継装置間の伝送レートには上限がある。伝送レートは、単位時間あたりに伝送されるデータの量である。このため、通信リンクを新たに確立することにより、既存の通信リンクにおける伝送レートが低下することがある。従って、既存の通信リンクにおける伝送レートの総和が、中継装置間の伝送レートの上限に近くなるほど、通信リンクを新たに確立しにくくなる。
【００１４】
また、例えば、ＬＴＥにおいて、システム帯域幅が２０ＭＨｚであり、アンテナ数が２であり、且つ、送信ダイバーシチを行なわない場合、ＢＢＵとＲＲＨとの間の伝送レートは、２．４Ｇｂｐｓである。ＬＴＥは、Ｌｏｎｇ  Ｔｅｒｍ  Ｅｖｏｌｕｔｉｏｎの略記である。従って、ＢＢＵとＲＲＨとの間の伝送レートは、比較的大きい。
【００１５】
ＲＲＨの通信先となるＢＢＵを変更可能とする無線通信システムにおいては、ＢＢＵとＲＲＨとの間の通信を中継する通信網を経由する、ＢＢＵとＲＲＨとの間の通信リンクの数が多くなりやすい。また、ＢＢＵとＲＲＨとの間の通信を中継する通信網を経由する通信リンクの数が多くなるほど、通信網における伝送レートは大きくなる。通信網における伝送レートが大きくなるほど、通信リンクを新たに確立しにくくなる。
【００１６】
また、通信網における伝送レートが大きくなるほど、通信網を構成する中継装置の大きさが大きくなるとともに、通信網を構成する通信ケーブルを設置するコストが高くなる。従って、通信網における伝送レートが大きくなるほど、通信網を構築しにくくなる。
【００１７】
ところで、ＢＢＵとＲＲＨとの間で伝送されるＣＰＲＩ信号を圧縮して伝送する場合を想定する。ＣＰＲＩは、Ｃｏｍｍｏｎ  Ｐｕｂｌｉｃ  Ｒａｄｉｏ  Ｉｎｔｅｒｆａｃｅの略記である。この場合、信号の圧縮、及び、圧縮された信号の伸長（換言すると、解凍）を行なうための処理に要する時間が長くなるほど、ＢＢＵとＲＲＨとの間の通信におけるＲＴＴが長くなるので、無線エリアの大きさが小さくなる。ＲＴＴは、Ｒｏｕｎｄ  Ｔｒｉｐ  Ｔｉｍｅの略記である。信号の圧縮率が高くなるほど、上記処理に要する時間は長くなる。従って、無線エリアの大きさを維持した場合に、伝送レートを十分に低下できないことがある。
【００１８】
ところで、ＢＢＵとＲＲＨとの間で伝送されるＣＰＲＩ信号の伝送レートは、無線通信システムにおいて使用され得る最大の伝送レートに固定的に設定されている。例えば、ＬＴＥにおいては、無線通信システムにおいて使用され得る最大の伝送レートは、システム帯域幅が２０ＭＨｚであり、アンテナ数が２であり、且つ、送信ダイバーシチを行なわない場合における２．４Ｇｂｐｓである。
【００１９】
例えば、システム帯域幅が１０ＭＨｚであり、アンテナ数が２であり、且つ、送信ダイバーシチを行なわない場合、ＣＰＲＩ信号に含まれるユーザデータのうちの５０％が有効なデータである。また、例えば、システム帯域幅が１０ＭＨｚであり、アンテナ数が２であり、且つ、送信ダイバーシチを行なう場合、ＣＰＲＩ信号に含まれるユーザデータのうちの２５％が有効なデータである。
【００２０】
以下、図面を参照して本発明の実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００２１】
＜第１実施形態＞
（構成）
図１に例示するように、第１実施形態に係る無線通信システム１は、例示的に、３個のＲＥＣ１０−１〜１０−３と、６個の中継装置２０−１〜２０−６と、９個のＲＥ３０−１〜３０−９と、交換局４０と、ＵＥ５０と、を備える。ＲＥＣは、Ｒａｄｉｏ  Ｅｑｕｉｐｍｅｎｔ  Ｃｏｎｔｒｏｌ、又は、Ｒａｄｉｏ  Ｅｑｕｉｐｍｅｎｔ  Ｃｏｎｔｒｏｌｌｅｒの略記である。ＲＥは、Ｒａｄｉｏ  Ｅｑｕｉｐｍｅｎｔの略記である。ＵＥは、Ｕｓｅｒ  Ｅｑｕｉｐｍｅｎｔの略記である。
【００２２】
ＲＥＣ１０−ｉは、区別する必要がない場合、ＲＥＣ１０とも表される。ｉは、１から３の整数を表す。中継装置２０−ｊは、区別する必要がない場合、中継装置２０とも表される。ｊは、１から６の整数を表す。ＲＥ３０−ｋは、区別する必要がない場合、ＲＥ３０とも表される。ｋは、１から９の整数を表す。
無線通信システム１は、図１に例示された数と異なる数の、ＲＥＣ１０、中継装置２０、ＲＥ３０、交換局４０、及び、ＵＥ５０をそれぞれ備えてよい。
【００２３】
ＲＥＣ１０は、無線制御装置、又は、無線制御部と表されてよい。ＲＥ３０は、無線装置、又は、無線部と表されてよい。ＵＥ５０は、ユーザ端末、移動局、又は、無線端末と表されてよい。本例では、ＲＥＣ１０は、ＢＢＵである。本例では、ＲＥ３０は、ＲＲＨである。ＲＥＣ１０及びＲＥ３０のそれぞれは、通信装置の一例である。ＵＥ５０は、無線機器の一例である。
【００２４】
無線通信システム１は、ＲＥ３０とＵＥ５０との間で、所定の無線通信方式に従った無線通信を行なう。本例では、無線通信方式は、ＬＴＥ方式である。なお、無線通信方式は、ＬＴＥ方式と異なる方式（例えば、Ｗ−ＣＤＭＡ、又は、ＬＴＥ−Ａｄｖａｎｃｅｄ等の方式）であってもよい。Ｗ−ＣＤＭＡは、Ｗｉｄｅｂａｎｄ  Ｃｏｄｅ  Ｄｉｖｉｓｉｏｎ  Ｍｕｌｔｉｐｌｅ  Ａｃｃｅｓｓの略記である。
【００２５】
本例では、無線通信システム１は、第３．９世代移動通信システム（換言すると、３．９Ｇ）である。なお、無線通信システム１は、第３．５世代移動通信システム（換言すると、３．５Ｇ）、又は、第４世代移動通信システム（換言すると、４Ｇ）であってもよい。
【００２６】
各ＲＥ３０は、セルを形成する。セルは、無線エリアの一例である。セルは、カバレッジ・エリア、又は、通信エリアと表されてもよい。例えば、セルは、マクロセル、マイクロセル、ナノセル、ピコセル、フェムトセル、ホームセル、スモールセル、又は、セクタセル等である。各ＲＥ３０は、当該ＲＥ３０が形成するセル内に位置するＵＥ５０と無線通信を行なう。
【００２７】
各ＲＥ３０は、中継装置２０に接続される。本例では、各ＲＥ３０は、中継装置２０−４，２０−５又は２０−６に接続される。各ＲＥ３０は、当該ＲＥ３０が接続された中継装置２０−４，２０−５又は２０−６と異なる中継装置２０−１，２０−２又は２０−３に接続されたＲＥＣ１０と通信可能に接続される。換言すると、各ＲＥ３０は、複数の中継装置２０を介してＲＥＣ１０と通信可能に接続される。
【００２８】
本例では、図１に示すように、各ＲＥＣ１０は、通信可能に通信網（例えば、コアネットワーク）ＮＷに接続されている。更に、各ＲＥＣ１０は、中継装置２０に接続される。本例では、各ＲＥＣ１０は、中継装置２０−１，２０−２又は２０−３に接続される。
【００２９】
本例では、ＲＥＣ１０及びＲＥ３０は、基地局を形成する。ＲＥＣ１０及びＲＥ３０は、ｅＮＢ（Ｅｖｏｌｖｅｄ  Ｎｏｄｅ  Ｂ）と表されてもよい。また、ＲＥＣ１０及びＲＥ３０は、アクセスポイント、又は、ｅＮＢ（Ｅｖｏｌｖｅｄ  Ｎｏｄｅ  Ｂ）を形成してもよい。
【００３０】
中継装置２０−１〜２０−６は、リング状に接続されている。本例では、各中継装置２０−ｊは、他の２つの中継装置２０−ｍ及び２０−ｎに接続されている。ｍ及びｎは、１から６までの、互いに異なり且つｊと異なる整数を表す。
本例では、各中継装置２０は、ＲＥ３０又はＲＥＣ１０を接続する、３つのポートを備える。各中継装置２０は、２つ以下、又は、４つ以上のポートを備えていてもよい。
【００３１】
本例では、各中継装置２０−１〜２０−３は、１つのＲＥＣ１０−１，１０−２又は１０−３と接続されている。なお、各中継装置２０−１〜２０−３は、複数のＲＥＣ１０と接続されていてもよい。
【００３２】
中継装置２０−ｊは、中継装置２０−ｊに接続されたＲＥ３０又はＲＥＣ１０からデータを受信し、受信したデータを他の中継装置２０−ｍ及び２０−ｎを介して接続されたＲＥ３０又はＲＥＣ１０へ送信する。中継装置２０−ｊは、他の中継装置２０−ｍ及び２０−ｎを介して接続されたＲＥ３０又はＲＥＣ１０からデータを受信し、受信したデータを中継装置２０−ｊに接続されたＲＥ３０又はＲＥＣ１０へ送信する。
換言すると、複数の中継装置２０−１〜２０−６は、ＲＥＣ１０とＲＥ３０との間の通信を中継する。
【００３３】
ＵＥ５０は、当該ＵＥ５０が位置するセルにおいて提供されている無線リソースを用いて、当該セルを形成するＲＥ３０と無線通信を行なう。例えば、ＵＥ５０は、携帯電話機、スマートフォン、センサ、又は、メータ（測定器）等である。ＵＥ５０は、ユーザによって携帯されていてもよいし、車両等の移動体に搭載されていてもよいし、固定されていてもよい。
【００３４】
交換局４０は、通信可能に通信網ＮＷに接続されている。本例では、交換局４０は、ＭＭＥ、Ｓ−ＧＷ、及び、Ｐ−ＧＷを含む。ＭＭＥは、Ｍｏｂｉｌｉｔｙ  Ｍａｎａｇｅｍｅｎｔ  Ｅｎｔｉｔｙの略記である。Ｓ−ＧＷは、Ｓｅｒｖｉｎｇ  Ｇａｔｅｗａｙの略記である。Ｐ−ＧＷは、Ｐａｃｋｅｔ  Ｄａｔａ  Ｎｅｔｗｏｒｋ  Ｇａｔｅｗａｙの略記である。交換局４０は、複数の情報処理装置により形成されてよい。
【００３５】
（構成；ＲＥＣ）
次に、ＲＥＣ１０−ｉの構成について説明する。
図２に例示するように、ＲＥＣ１０−ｉは、交換局インタフェース部１０１と、交換局プロトコル処理部１０２と、制御部１０３と、基地局インタフェース部１０４と、基地局プロトコル処理部１０５と、を備える。更に、ＲＥＣ１０−ｉは、例示的に、無線プロトコル処理部１０６と、変調部１０７と、無線インタフェース部１０８と、ＲＥインタフェース部１０９と、復調部１１０と、を備える。
【００３６】
交換局インタフェース部１０１は、ＲＥＣ１０−ｉと交換局４０との間で信号を送受信する。本例では、ＲＥＣ１０−ｉと交換局４０との間で送受信される信号は、通信を制御するための制御信号と、交換局４０とＵＥ５０との間で送受信されるデータを表すデータ信号と、を含む。本例では、ＲＥＣ１０−ｉと交換局４０との間で送受信される制御信号は、交換局制御信号と表される。本例では、データ信号は、ユーザデータと表される。
【００３７】
交換局プロトコル処理部１０２は、交換局インタフェース部１０１により受信された信号を、予め定められた通信プロトコルに従って処理することにより、交換局制御信号及びユーザデータを取得する。交換局プロトコル処理部１０２は、取得した交換局制御信号及びユーザデータを制御部１０３及び無線プロトコル処理部１０６へそれぞれ出力する。
【００３８】
交換局プロトコル処理部１０２には、制御部１０３及び無線プロトコル処理部１０６から交換局制御信号及びユーザデータがそれぞれ入力される。交換局プロトコル処理部１０２は、入力された交換局制御信号及びユーザデータを、上記通信プロトコルに従って処理し、処理後の信号を、交換局インタフェース部１０１を介して交換局４０へ送信する。
【００３９】
制御部１０３は、入力された制御信号に従ってＲＥＣ１０−ｉの動作を制御するとともに、制御信号を出力する。例えば、制御部１０３は、予め定められた呼処理シーケンスに従って呼接続を制御する。更に、後述するように、制御部１０３は、ＲＥ３０のポートとＲＥＣ１０−ｉのポートとの間の通信リンクの確立を制御するとともに、ＲＥ３０により形成されるセルの設定を制御する。本例では、通信リンクは、ＲＥＣ１０−ｉが備えるポートと、ＲＥ３０が備えるポートと、の間で確立される。
【００４０】
基地局インタフェース部１０４は、ＲＥＣ１０−ｉと他のＲＥＣ１０−ｐとの間で信号を送受信する。ｐは、１から３までのｉと異なる整数を表す。本例では、ＲＥＣ１０間で送受信される信号は、通信を制御するための制御信号を含む。本例では、ＲＥＣ１０間で送受信される制御信号は、基地局制御信号と表される。
【００４１】
基地局プロトコル処理部１０５は、基地局インタフェース部１０４により受信された信号を、予め定められた通信プロトコルに従って処理することにより、基地局制御信号を取得する。基地局プロトコル処理部１０５は、取得した基地局制御信号を制御部１０３へ出力する。
【００４２】
基地局プロトコル処理部１０５には、制御部１０３から基地局制御信号が入力される。基地局プロトコル処理部１０５は、入力された基地局制御信号を、上記通信プロトコルに従って処理し、処理後の信号を、基地局インタフェース部１０４を介して、他のＲＥＣ１０−ｐへ送信する。
【００４３】
本例では、ＲＥインタフェース部１０９は、光ファイバを有する通信ケーブルを介して中継装置２０が備えるポートとそれぞれ接続される、３つのポートを備える。ＲＥインタフェース部１０９は、２つ以下、又は、４つ以上のポートを備えていてもよい。
【００４４】
ＲＥインタフェース部１０９は、ＲＥＣ１０−ｉと中継装置２０との間で信号を送受信する。本例では、ＲＥＣ１０−ｉと中継装置２０との間で送受信される信号は、通信を制御するための制御信号と、ＤＢＢ信号と、を含む。ＤＢＢは、Ｄｉｇｉｔａｌ  Ｂａｓｅｂａｎｄの略記である。本例では、ＲＥＣ１０−ｉと中継装置２０との間で送受信される制御信号は、ＲＥ制御信号と表される。
【００４５】
ＲＥインタフェース部１０９は、中継装置２０から受信された信号を、予め定められた規格（本例では、ＣＰＲＩ）に従って処理することにより、ＲＥ制御信号及びＤＢＢ信号を取得する。ＣＰＲＩは、Ｃｏｍｍｏｎ  Ｐｕｂｌｉｃ  Ｒａｄｉｏ  Ｉｎｔｅｒｆａｃｅの略記である。ＲＥインタフェース部１０９は、取得したＲＥ制御信号及びＤＢＢ信号を制御部１０３及び無線インタフェース部１０８へそれぞれ出力する。
【００４６】
ＲＥインタフェース部１０９には、制御部１０３及び無線インタフェース部１０８からＲＥ制御信号及びＤＢＢ信号がそれぞれ入力される。ＲＥインタフェース部１０９は、入力されたＲＥ制御信号及びＤＢＢ信号を、上記規格に従って処理し、処理後の信号を、中継装置２０を介してＲＥ３０へ送信する。
【００４７】
ＲＥＣ１０−ｉと中継装置２０との間で送受信される信号は、ＣＰＲＩ信号と表されてよい。
例えば、ＲＥ制御信号は、Ｓｌｏｗ  Ｃ＆ＭにおけるＨＤＬＣパケット、又は、Ｆａｓｔ  Ｃ＆ＭにおけるＩＰパケットに含まれてよい。Ｃ＆Ｍは、Ｃｏｍｍａｎｄ  ａｎｄ  Ｍａｎａｇｅｍｅｎｔの略記である。ＨＤＬＣは、Ｈｉｇｈ−Ｌｅｖｅｌ  Ｄａｔａ  Ｌｉｎｋ  Ｃｏｎｔｒｏｌの略記である。ＩＰは、Ｉｎｔｅｒｎｅｔ  Ｐｒｏｔｏｃｏｌの略記である。また、ＲＥ制御信号は、ＯＲＩに従ってよい。ＯＲＩは、Ｏｐｅｎ  Ｒａｄｉｏ  Ｅｑｕｉｐｍｅｎｔ  Ｉｎｔｅｒｆａｃｅの略記である。
【００４８】
無線インタフェース部１０８は、ＲＥインタフェース部１０９から入力されたＤＢＢ信号を復調部１１０へ出力する。
無線インタフェース部１０８は、変調部１０７から入力されたＤＢＢ信号をＲＥインタフェース部１０９へ出力する。
【００４９】
復調部１１０は、無線インタフェース部１０８から入力されたＤＢＢ信号に対する復調及び復号化を行なう。更に、復調部１１０は、ＤＢＢ信号に基づいて、ＲＥ３０とＵＥ５０との間の無線通信の品質である無線品質を測定する。復調部１１０は、復調及び復号化後の信号（換言すると、上りリンクの信号、又は、ＵＥ５０からの信号）、並びに、無線品質の測定結果を無線プロトコル処理部１０６へ出力する。
【００５０】
無線プロトコル処理部１０６は、復調部１１０から入力された信号を、予め定められた通信プロトコルに従って処理することにより、無線制御信号及びユーザデータを取得する。無線制御信号は、ＲＥ３０とＵＥ５０との間の無線通信を制御するための制御信号を表す。無線プロトコル処理部１０６は、取得した無線制御信号及びユーザデータを制御部１０３及び交換局プロトコル処理部１０２へそれぞれ出力する。
【００５１】
無線プロトコル処理部１０６には、制御部１０３及び交換局プロトコル処理部１０２から無線制御信号及びユーザデータがそれぞれ入力される。無線プロトコル処理部１０６は、入力された無線制御信号及びユーザデータを、上記通信プロトコルに従って処理し、処理後の信号を変調部１０７へ出力する。
【００５２】
変調部１０７は、無線プロトコル処理部１０６から入力された信号（換言すると、下りリンクの信号、又は、ＵＥ５０への信号）に対する符号化及び変調を行なう。変調部１０７は、符号化及び変調後の信号を含むＤＢＢ信号を無線インタフェース部１０８へ出力する。
【００５３】
制御部１０３について説明を加える。制御部１０３は、ＲＥインタフェース部１０９が備える３つのポートのそれぞれに対して、以下の機能を有する。
【００５４】
ＲＥＣ１０−ｉの制御部１０３は、ＲＥＣ１０−ｉの負荷に関する条件が満足される場合、当該ポートを介して中継装置２０へ接続変更依頼を送信するようにＲＥインタフェース部１０９を制御する。接続変更依頼は、確立された通信リンクにおける通信先の変更を要求する情報である。後述するように、接続変更依頼は、ＲＥＣ１０−ｉに接続された中継装置２０から、通信リンクにおける通信先であるＲＥ３０が接続された中継装置２０へ転送される。後述するように、接続変更依頼には、ＲＥＣ１０−ｉに接続された中継装置２０によって所定の情報が追加される。
【００５５】
例えば、上記条件は、ＲＥＣ１０−ｉが収容するＵＥ５０の数が所定の閾値以上である、という条件である。また、例えば、上記条件は、単位時間あたりの通信トラヒックの量が所定の閾値以上である、という条件である。また、例えば、上記条件は、ＲＥＣ１０−ｉの処理負荷（例えば、処理装置又は記憶装置の使用率）が所定の閾値以上である、という条件である。
【００５６】
ＲＥＣ１０−ｉの制御部１０３は、中継装置２０から接続変更通知が受信された場合において、通信リンクが未だ確立されていない場合、ＲＥＣ１０−ｉとＲＥ３０との間で新たに通信リンクを確立するか否かを判定する。この判定は、確立判定と表されてよい。確立判定については後述する。
本例では、接続変更通知は、ＲＥＣ１０−ｉとＲＥ３０との間の通信リンクの新たな確立を要求する情報である。
【００５７】
本例では、接続変更通知は、図３に示すように、送信元装置ＩＤと、送信先装置ＩＤと、信号ＩＤと、ＲＥポートＩＤと、ＲＥ装置情報と、ＲＥ設置情報と、を含む。
送信元装置ＩＤは、送信元の中継装置２０を識別する情報である。本例では、接続変更通知に含まれる送信元装置ＩＤは、接続変更通知の送信元である中継装置２０（本例では、ＲＥ３０が接続された中継装置２０−４，２０−５又は２０−６）を識別する情報（例えば、「ＡＩＤ＃６」）である。本例では、ＡＩＤ＃ｊは、中継装置２０―ｊを識別する情報である。
【００５８】
送信先装置ＩＤは、送信先の中継装置２０を識別する情報である。本例では、接続変更通知に含まれる送信先装置ＩＤは、すべての中継装置２０が送信先であることを表す所定の情報（例えば、「ＡＩＤ＃０」）である。
【００５９】
信号ＩＤは、信号の種別を識別する情報である。本例では、接続変更通知に含まれる信号ＩＤは、接続変更通知を示す例として「ＳＩＤ＃１」である。ＲＥポートＩＤは、ＲＥ３０が接続された中継装置２０−４，２０−５又は２０−６において、ＲＥ３０が接続されたポートを識別する情報（例えば、「ＰＩＤ＃１」）である。
以上より、図３に示す接続変更通知の内容例は、送信元装置ＩＤ「ＡＩＤ＃６」により識別される中継装置２０（例えば、図１に示す中継装置２０−６）において、ＲＥポートＩＤ「ＰＩＤ＃１」により識別されるポートに接続されたＲＥ３０（例えば、図１に示すＲＥ３０−１）と、ＲＥＣ１０−ｉと、の間の通信リンクの新たな確立を要求することを示すと理解されてよい。
【００６０】
本例では、ＲＥ装置情報は、ＲＥ３０の性能を表す情報を含む。本例では、ＲＥ装置情報は、使用可能周波数帯と、使用可能システム帯域幅と、アンテナ数と、最大送信電力と、を含む。使用可能周波数帯は、ＲＥ３０が使用可能な周波数帯を表す。使用可能システム帯域幅は、ＲＥ３０が使用可能なシステム帯域幅を表す。アンテナ数は、ＲＥ３０が備えるアンテナの数を表す。最大送信電力は、ＲＥ３０が送信する無線信号の送信電力の最大値を表す。
【００６１】
本例では、ＲＥ設置情報は、ＲＥ３０が設置された状態を表す情報を含む。本例では、ＲＥ設置情報は、設置環境と、設置位置と、セクタＩＤと、を含む。設置環境は、ＲＥ３０が設置された環境を表す。例えば、設置環境は、「屋内」又は「屋外」である。設置位置は、ＲＥ３０が設置された位置を表す。本例では、設置位置は、緯度及び経度を含む情報（例えば、「ＰＯＳ＃１」）である。セクタＩＤは、セクタを識別する情報（例えば、「ＳＣＩＤ＃１」）である。
【００６２】
後述するように、ＲＥ装置情報及びＲＥ設置情報は、ＲＥ３０により予め保持されるとともに、ＲＥ３０が中継装置２０−４，２０−５又は２０−６に接続された場合、ＲＥ３０から、ＲＥ３０が接続された中継装置２０−４，２０−５又は２０−６へ送信される。
接続変更通知は、ＲＥ３０に関する情報の一例である。
【００６３】
本例では、確立判定は、下記の処理を含む。
制御部１０３は、接続変更通知からＲＥ装置情報及びＲＥ設置情報を取得する。
制御部１０３は、取得したＲＥ設置情報と、運用セル情報と、に基づいて、ＲＥ設置情報に含まれる設置位置と対応する位置のセルからなるセル候補を抽出する。本例では、制御部１０３は、所定の地域に位置するセル毎の運用セル情報を予め記憶する。なお、ＲＥＣ１０−ｉは、通信可能に接続された外部の装置から運用セル情報を取得してもよい。
【００６４】
本例では、運用セル情報は、セルの位置（換言すると、配置）と、セルの大きさと、セルＩＤと、周波数帯と、システム帯域幅と、アンテナ数と、送受信方式と、送信電力と、を含む。本例では、セルの位置は、セルの中心の緯度及び経度を含む情報である。
セルＩＤは、セルを識別する情報である。例えば、セルＩＤは、整数により表されてよい。送受信方式は、セルにおいて無線信号を送受信する方式である。本例では、送受信方式は、送信ダイバーシチを行なう方式、又は、送信ダイバーシチを行なわない方式である。本例では、送信ダイバーシチを行なう方式は、単に、「送信ダイバーシチ」と表されてよい。本例では、送信ダイバーシチを行なわない方式は、単に、「非送信ダイバーシチ」と表されてよい。
本例では、制御部１０３により抽出されるセル候補は、ＲＥ設置情報に含まれる設置位置からの距離が所定の閾値以下である位置をセルの位置として含む運用セル情報により識別されるセルである。
【００６５】
制御部１０３は、抽出したセル候補のそれぞれに対してＲＥ３０を使用可能であるか否かを、セル候補の運用セル情報と、ＲＥ装置情報と、に基づいて判定する。本例では、制御部１０３は、下記の第１〜第５の条件のすべてが満足される場合、セル候補に対してＲＥ３０を使用可能であると判定する。本例では、制御部１０３は、下記の第１〜第５の条件の少なくとも１つが満足されない場合、セル候補に対してＲＥ３０を使用不能であると判定する。
【００６６】
第１の条件は、ＲＥ装置情報に含まれる使用可能周波数帯が、運用セル情報に含まれる周波数帯を含むという条件である。
第２の条件は、ＲＥ装置情報に含まれる使用可能システム帯域幅が、運用セル情報に含まれるシステム帯域幅を含むという条件である。
第３の条件は、ＲＥ装置情報に含まれるアンテナ数が、運用セル情報に含まれるアンテナ数以上であるという条件である。
第４の条件は、ＲＥ装置情報に含まれる最大送信電力が、運用セル情報に含まれる送信電力以上であるという条件である。
第５の条件は、運用セル情報に含まれる送受信方式が送信ダイバーシチを行なう方式である場合、ＲＥ装置情報に含まれるアンテナ数が２以上であるという条件である。
【００６７】
制御部１０３は、ＲＥ３０を使用可能であると判定されたセル候補が存在する場合、そのセル候補の運用セル情報を保持するとともに、ＲＥＣ１０−ｉが接続された中継装置２０へ接続変更応答を送信するようにＲＥインタフェース部１０９を制御する。後述するように、ＲＥＣ１０−ｉから接続変更応答を受信した中継装置２０は、接続変更通知の送信元である中継装置２０へ接続変更応答を送信する。
【００６８】
本例では、接続変更通知の送信元である中継装置２０へ送信される接続変更応答は、図４に示すように、送信元装置ＩＤと、送信先装置ＩＤと、信号ＩＤと、ＲＥＣポートＩＤと、を含む。
本例では、接続変更応答に含まれる送信元装置ＩＤは、接続変更応答の送信元である中継装置２０（本例では、ＲＥＣ１０が接続された中継装置２０−１，２０−２又は２０−３）を識別する情報（例えば、「ＡＩＤ＃３」）である。本例では、接続変更応答に含まれる送信先装置ＩＤは、接続変更通知の送信元である中継装置２０（本例では、ＲＥ３０が接続された中継装置２０−４，２０−５又は２０−６）を識別する情報（例えば、「ＡＩＤ＃６」）である。
【００６９】
本例では、接続変更応答に含まれる信号ＩＤは、接続変更応答を示す例として「ＳＩＤ＃２」である。ＲＥＣポートＩＤは、ＲＥＣ１０が接続された中継装置２０−１，２０−２又は２０−３において、ＲＥＣ１０が接続されたポートを識別する情報（例えば、「ＰＩＤ＃３」）である。
以上より、図４に示す接続変更応答の内容例は、送信元装置ＩＤ「ＡＩＤ＃３」により識別される中継装置２０（例えば、図１に示す中継装置２０−３）においてＲＥＣポートＩＤ「ＰＩＤ＃３」により識別されるポートを経由して接続されるＲＥＣ１０（例えば、図１に示すＲＥＣ１０−３）が、接続変更通知の送信元である中継装置２０として送信先装置ＩＤ「ＡＩＤ＃６」により識別される中継装置２０（例えば、図１に示す中継装置２０−６）に接続されたＲＥ３０を収容可能であると判定されたことを示すと理解されてよい。
【００７０】
このようにして、制御部１０３は、確立判定を行なう。
なお、制御部１０３は、ＲＥＣ１０−ｉの負荷に関する条件が満足される場合（ＲＥＣ１０−ｉの負荷が高い場合）、接続変更応答を送信しないようにＲＥインタフェース部１０９を制御してもよい。例えば、上記条件は、ＲＥＣ１０−ｉが収容するＵＥ５０の数が所定の閾値以上である、という条件である。また、例えば、上記条件は、単位時間あたりの通信トラヒックの量が所定の閾値以上である、という条件である。また、例えば、上記条件は、ＲＥＣ１０−ｉの処理負荷（例えば、処理装置又は記憶装置の使用率）が所定の閾値以上である、という条件である。なお、制御部１０３は、ＲＥＣ１０−ｉの負荷に関する条件が満足される場合（ＲＥＣ１０−ｉの負荷が高い場合）、接続変更通知に対する否定的応答を示す接続変更応答を送信するようにＲＥインタフェース部１０９を制御してもよい。
【００７１】
制御部１０３は、中継装置２０から接続変更指示が受信された場合、保持している運用セル情報に基づいてセル設定情報を設定する。接続変更指示は、新たな通信リンクの確立を指示する情報である。
本例では、接続変更指示は、図５に示すように、リンクＩＤと、送信元装置ＩＤと、送信先装置ＩＤと、信号ＩＤと、ＲＥポートＩＤと、ＲＥＣポートＩＤと、を含む。
【００７２】
本例では、接続変更指示に含まれるリンクＩＤは、当該接続変更指示により確立が指示された通信リンクを識別する情報（例えば、「ＬＩＤ＃３」）である。本例では、接続変更指示に含まれる送信元装置ＩＤは、接続変更指示の送信元である中継装置２０（本例では、ＲＥ３０が接続された中継装置２０−４，２０−５又は２０−６）を識別する情報（例えば、「ＡＩＤ＃６」）である。本例では、接続変更指示に含まれる送信先装置ＩＤは、接続変更応答の送信元である中継装置２０（本例では、ＲＥＣ１０が接続された中継装置２０−１，２０−２又は２０−３）を識別する情報（例えば、「ＡＩＤ＃３」）である。
【００７３】
本例では、接続変更指示に含まれる信号ＩＤは、接続変更指示を示す例として「ＳＩＤ＃３」である。ＲＥポートＩＤは、ＲＥ３０が接続された中継装置２０−４，２０−５又は２０−６において、ＲＥ３０が接続されたポートを識別する情報（例えば、「ＰＩＤ＃１」）である。ＲＥＣポートＩＤは、ＲＥＣ１０が接続された中継装置２０−１，２０−２又は２０−３において、ＲＥＣ１０が接続されたポートを識別する情報（例えば、「ＰＩＤ＃３」）である。
以上より、図５に示す接続変更指示の内容例は、送信元装置ＩＤ「ＡＩＤ＃６」により識別される中継装置２０（例えば、図１に示す中継装置２０−６）においてＲＥポートＩＤ「ＰＩＤ＃１」により識別されるポートを経由して接続されるＲＥ３０（例えば、図１に示すＲＥ３０−１）と、送信先装置ＩＤ「ＡＩＤ＃３」により識別される中継装置２０（例えば、図１に示す中継装置２０−３）においてＲＥＣポートＩＤ「ＰＩＤ＃３」により識別されるポートを経由して接続されるＲＥＣ１０（例えば、図１に示すＲＥＣ１０−３）と、の間の新たな通信リンクの確立を指示すると理解されてよい。
【００７４】
本例では、接続変更指示がＲＥＣ１０−ｉにより受信され、セル設定情報の設定が行われることにより、接続変更指示により識別されるポート間の通信リンクの確立が完了する。
【００７５】
本例では、セル設定情報は、図６に示すように、システム帯域幅と、送受信方式と、を含む。本例では、セル設定情報の設定は、上述の運用セル情報に基づいて決定されるセル設定情報と、中継装置２０から受信される接続変更指示に含まれるＲＥＣポートＩＤと、を対応付けて記憶することを含む。セル設定情報は、無線リンクに関する情報の一例である。本例では、無線リンクは、ＲＥ３０とＵＥ５０との間の無線による通信リンクである。
【００７６】
制御部１０３は、設定されたセル設定情報を含むセル設定通知を、新たに確立された通信リンクにおける通信先のＲＥ３０へ送信するようにＲＥインタフェース部１０９を制御する。
ＲＥＣ１０−ｉは、確立された通信リンクを介して、設定されたセル設定情報に従って、ＲＥＣ１０−ｉとＲＥ３０との間でユーザデータを送受信する。
【００７７】
制御部１０３は、中継装置２０から接続解除指示が受信された場合、セル設定情報の設定を解除する。接続解除指示は、既に確立されている通信リンクの解除を指示する情報である。本例では、セル設定情報の設定の解除は、記憶しているセル設定情報を消去することを含む。
【００７８】
本例では、接続変更依頼、接続変更通知、接続変更応答、接続変更指示、接続解除指示、及び、セル設定通知のそれぞれは、ＲＥ制御信号である。
【００７９】
交換局インタフェース部１０１、基地局インタフェース部１０４、及び、ＲＥインタフェース部１０９は、プログラム可能な論理回路装置（例えば、ＰＬＤ、又は、ＦＰＧＡ）によって機能が実現されてよい。ＰＬＤは、Ｐｒｏｇｒａｍｍａｂｌｅ  Ｌｏｇｉｃ  Ｄｅｖｉｃｅの略記である。ＦＰＧＡは、Ｆｉｅｌｄ−Ｐｒｏｇｒａｍｍａｂｌｅ  Ｇａｔｅ  Ａｒｒａｙの略記である。
【００８０】
無線インタフェース部１０８、変調部１０７、復調部１１０、及び、無線プロトコル処理部１０６は、ＤＳＰ（Ｄｉｇｉｔａｌ  Ｓｉｇｎａｌ  Ｐｒｏｃｅｓｓｏｒ）等の専用プロセッサによって機能が実現されてよい。交換局インタフェース部１０１、基地局プロトコル処理部１０５、及び、制御部１０３は、ＣＰＵ（Ｃｅｎｔｒａｌ  Ｐｒｏｃｅｓｓｉｎｇ  Ｕｎｉｔ）等の汎用プロセッサによって機能が実現されてよい。
【００８１】
（構成；ＲＥ）
次に、ＲＥ３０−ｋの構成について説明する。
図７に例示するように、ＲＥ３０−ｋは、制御部３０１と、送信部３０２と、増幅器３０３及び３０７と、ＢＰＦ３０４と、送信アンテナ３０５と、受信アンテナ３０６と、受信部３０８と、を備える。ＢＰＦは、Ｂａｎｄ  Ｐａｓｓ  Ｆｉｌｔｅｒの略記である。
【００８２】
本例では、制御部３０１は、光ファイバを有する通信ケーブルを介して中継装置２０が備えるポートと接続されるポートを備える。制御部３０１は、ＲＥ３０−ｋと中継装置２０との間で信号を送受信する。本例では、ＲＥ３０−ｋと中継装置２０との間で送受信される信号は、通信を制御するためのＲＥ制御信号と、ＤＢＢ信号と、を含む。
【００８３】
制御部３０１は、中継装置２０から受信された信号を、上記規格（本例では、ＣＰＲＩ）に従って処理することにより、ＲＥ制御信号及びＤＢＢ信号を取得する。制御部３０１は、取得したＤＢＢ信号を送信部３０２へ出力する。制御部３０１は、取得したＲＥ制御信号に基づいてＲＥ３０−ｋの動作を制御する。本例では、制御部３０１は、ＲＥ制御信号がセル設定情報を含む場合、セル設定情報を保持する。
【００８４】
制御部３０１には、受信部３０８からＤＢＢ信号が入力される。制御部３０１は、入力されたＤＢＢ信号を、上記規格に従って処理し、処理後の信号を、中継装置２０を介してＲＥＣ１０へ送信する。
ＲＥ３０−ｋと中継装置２０との間で送受信される信号は、ＣＰＲＩ信号と表されてよい。
【００８５】
また、制御部３０１は、ＲＥ装置情報及びＲＥ設置情報を予め記憶する。ＲＥ装置情報は、ＲＥ３０−ｋの製造時又は出荷時等に設定されてよい。ＲＥ設置情報は、ＲＥ３０−ｋの設置時に設定されてよい。制御部３０１は、ＲＥ３０−ｋが中継装置２０に新たに接続された場合、記憶している、ＲＥ装置情報及びＲＥ設置情報を中継装置２０へ送信する。
【００８６】
送信部３０２は、制御部３０１により保持されているセル設定情報に基づいて、制御部３０１から入力されたＤＢＢ信号をＲＦ（Ｒａｄｉｏ  Ｆｒｅｑｕｅｎｃｙ）信号に変換し、変換後の信号を増幅器３０３へ出力する。
増幅器３０３は、送信部３０２から入力された信号を増幅し、増幅後の信号をＢＰＦ３０４へ出力する。
【００８７】
ＢＰＦ３０４は、増幅器３０３から入力された信号から、所定の周波数帯域の信号を取り出すフィルタ処理を行ない、処理後の信号を送信アンテナ３０５へ出力する。
【００８８】
送信アンテナ３０５は、ＢＰＦ３０４から入力された信号を無線によりＵＥ５０へ送信する。送信アンテナ３０５は、複数のアンテナを含んでいてもよい。
【００８９】
受信アンテナ３０６は、複数のアンテナを含んでいてもよい。また、受信アンテナ３０６は、送信アンテナ３０５と共用されていてもよい。
受信アンテナ３０６は、無線により信号を受信し、受信した信号をＢＰＦ３０４へ出力する。
ＢＰＦ３０４は、受信アンテナ３０６から入力された信号から、所定の周波数帯域の信号を取り出すフィルタ処理を行ない、処理後の信号を増幅器３０７へ出力する。
【００９０】
増幅器３０７は、ＢＰＦ３０４から入力された信号を増幅し、増幅後の信号を受信部３０８へ出力する。
受信部３０８は、制御部３０１により保持されているセル設定情報に基づいて、増幅器３０７から入力された信号であるＲＦ信号をＤＢＢ信号に変換し、変換後の信号を制御部３０１へ出力する。
【００９１】
（構成；中継装置）
次に、中継装置２０−ｊの構成について説明する。
図８に例示するように、中継装置２０−ｊは、中継装置インタフェース部２０１及び２０３と、切替部２０２と、制御部２０４と、記憶部２０６と、ＲＥ・ＲＥＣインタフェース部２０７〜２０９と、を備える。
【００９２】
本例では、中継装置インタフェース部２０１及び２０３は、光ファイバを有する通信ケーブルを介して、中継装置２０−ｊに隣接する２つの他の中継装置２０−ｍ及び２０−ｎが備えるポートと接続されるポートをそれぞれ備える。中継装置インタフェース部２０１及び２０３は、中継装置２０−ｊと、中継装置２０−ｊに接続された他の中継装置２０−ｍ及び２０−ｎと、の間で信号をそれぞれ送受信する。
【００９３】
中継装置インタフェース部２０１及び２０３のそれぞれは、受信した信号を上記規格（本例では、ＣＰＲＩ）に従って処理することにより、ＲＥ制御信号を取得し、取得したＲＥ制御信号を制御部２０４へ出力する。このＲＥ制御信号の処理は、ＲＥ制御信号の分離と表されてよい。
【００９４】
中継装置インタフェース部２０１及び２０３は、制御部２０４から入力されたＲＥ制御信号を上記規格に従って処理し、接続先である、他の中継装置２０−ｍ及び２０−ｎへ処理後の信号をそれぞれ送信する。このＲＥ制御信号の処理は、ＲＥ制御信号の多重と表されてよい。
【００９５】
中継装置インタフェース部２０１及び２０３は、受信した信号を切替部２０２へそれぞれ出力するとともに、切替部２０２から入力された信号を、接続先である、他の中継装置２０−ｍ及び２０−ｎへそれぞれ送信する。
【００９６】
制御部２０４には、中継装置インタフェース部２０１及び２０３、並びに、ＲＥ・ＲＥＣインタフェース部２０７〜２０９のそれぞれからＲＥ制御信号が入力される。
【００９７】
制御部２０４は、入力されたＲＥ制御信号に基づいて中継装置２０−ｊの動作を制御する。ＲＥ制御信号に基づく制御については後述する。
制御部２０４は、入力されたＲＥ制御信号の送信先が中継装置２０−ｊである場合、そのＲＥ制御信号が中継装置２０−ｊの外部へ送信されないように、中継装置インタフェース部２０１及び２０３並びにＲＥ・ＲＥＣインタフェース部２０７〜２０９を制御してよい。入力されたＲＥ制御信号に含まれる送信先装置ＩＤにより識別される中継装置２０が中継装置２０−ｊであることは、入力されたＲＥ制御信号の送信先が中継装置２０−ｊであることの一例である。
【００９８】
本例では、ＲＥ・ＲＥＣインタフェース部２０７〜２０９のそれぞれは、光ファイバを有する通信ケーブルを介して、ＲＥ３０又はＲＥＣ１０が備えるポートと接続されるポートを備える。ＲＥ・ＲＥＣインタフェース部２０７〜２０９のそれぞれは、ＲＥ３０又はＲＥＣ１０が新たに接続されたことを検出する。ＲＥ・ＲＥＣインタフェース部２０７〜２０９のそれぞれは、中継装置２０−ｊに接続されたＲＥ３０又はＲＥＣ１０への信号及び／又はからの信号を送受信する。
【００９９】
本例では、中継装置２０−ｊには、ＲＥ・ＲＥＣインタフェース部２０７〜２０９のそれぞれに接続された装置が、ＲＥ３０及びＲＥＣ１０のいずれであるかを表す情報が入力される。例えば、中継装置２０−ｊは、ＲＥ・ＲＥＣインタフェース部２０７〜２０９のそれぞれに対応付けられたスイッチを備えるとともに、スイッチが操作されることにより上記情報が入力されてよい。また、例えば、中継装置２０−ｊは、設定ファイルを保持するとともに、保持している設定ファイルが更新されることにより上記情報が入力されてよい。
【０１００】
また、ＲＥ・ＲＥＣインタフェース部２０７〜２０９のそれぞれは、ＲＥ３０が接続されるポートと、ＲＥＣ１０が接続されるポートと、からなる２つのポートを備えていてもよい。
【０１０１】
ＲＥ・ＲＥＣインタフェース部２０７〜２０９のそれぞれは、受信した信号を上記規格（本例では、ＣＰＲＩ）に従って処理することにより、ＲＥ制御信号を取得し、取得したＲＥ制御信号を制御部２０４へ出力する。このＲＥ制御信号の処理は、ＲＥ制御信号の分離と表されてよい。
【０１０２】
ＲＥ・ＲＥＣインタフェース部２０７〜２０９のそれぞれは、制御部２０４から入力されたＲＥ制御信号を上記規格に従って処理し、接続先であるＲＥ３０又はＲＥＣ１０へ処理後の信号を送信する。このＲＥ制御信号の処理は、ＲＥ制御信号の多重と表されてよい。
【０１０３】
ＲＥ・ＲＥＣインタフェース部２０７〜２０９のそれぞれは、受信した信号に対して削減処理を実行し、処理後の信号を切替部２０２へ出力する。ＲＥ・ＲＥＣインタフェース部２０７〜２０９のそれぞれは、切替部２０２から入力された信号に対して補填処理を実行し、処理後の信号を、接続先であるＲＥ３０又はＲＥＣ１０へ送信する。
削減処理及び補填処理については後述する。
【０１０４】
記憶部２０６は、リンクＩＤと、ＲＥ装置ＩＤと、ＲＥポートＩＤと、ＲＥＣ装置ＩＤと、ＲＥＣポートＩＤと、を対応付けた接続情報を記憶する。
ＲＥ装置ＩＤは、通信リンクを形成するＲＥ３０が接続された中継装置２０を識別する情報である。ＲＥポートＩＤは、通信リンクを形成するＲＥ３０が接続された中継装置２０において、そのＲＥ３０が接続されたポートを識別する情報である。
【０１０５】
ＲＥＣ装置ＩＤは、通信リンクを形成するＲＥＣ１０が接続された中継装置２０を識別する情報である。ＲＥＣポートＩＤは、通信リンクを形成するＲＥＣ１０が接続された中継装置２０において、そのＲＥＣ１０が接続されたポートを識別する情報である。
【０１０６】
制御部２０４は、接続変更指示が入力された場合、その接続変更指示に含まれる情報に基づいて、記憶部２０６が記憶する接続情報を更新する。
本例では、接続情報の更新は、下記のように行なわれる。
制御部２０４は、接続変更指示に含まれる送信元装置ＩＤ及びＲＥポートＩＤとそれぞれ一致するＲＥ装置ＩＤ及びＲＥポートＩＤを含む接続情報が記憶部２０６に記憶されている場合、当該接続情報を記憶部２０６から消去する。更に、制御部２０４は、接続変更指示に含まれる、リンクＩＤ、送信元装置ＩＤ、送信先装置ＩＤ、ＲＥポートＩＤ及びＲＥＣポートＩＤを、それぞれ、リンクＩＤ、ＲＥ装置ＩＤ、ＲＥＣ装置ＩＤ、ＲＥポートＩＤ及びＲＥＣポートＩＤとして含む制御情報を新たに記憶部２０６に記憶させる。
以上により、接続情報の更新が行なわれる。
【０１０７】
記憶部２０６は、リンクＩＤと、セル設定情報と、を対応付けたセル情報を記憶する。
制御部２０４は、セル設定通知が入力された場合、そのセル設定通知に含まれる情報に基づいて、記憶部２０６が記憶するセル情報を更新する。
本例では、セル情報の更新は、下記のように行なわれる。
制御部２０４は、セル設定通知に含まれる、送信元装置ＩＤ、送信先装置ＩＤ、ＲＥポートＩＤ及びＲＥＣポートＩＤとそれぞれ一致する、ＲＥＣ装置ＩＤ、ＲＥ装置ＩＤ、ＲＥポートＩＤ及びＲＥＣポートＩＤを含む接続情報に含まれるリンクＩＤを取得する。
制御部２０４は、取得したリンクＩＤとセル情報にて対応付けられたセル設定情報を、セル設定通知に含まれるセル設定情報に置換する。
以上により、セル情報の更新が行なわれる。
【０１０８】
切替部２０２は、入力された信号に基づいてリンクＩＤを取得し、記憶部２０６に記憶されている接続情報と、取得したリンクＩＤと、に基づいて、入力された信号の出力先を切り替える。
【０１０９】
本例では、中継装置２０−ｊの切替部２０２は、確立された通信リンクにおいて、ＲＥ３０が接続されているポートを経由して中継装置２０−ｊが信号を受信した場合、当該ポートを識別するＲＥポートＩＤ、及び、当該中継装置２０−ｊを識別するＲＥ装置ＩＤと接続情報にて対応付けられたリンクＩＤを取得する。切替部２０２は、受信された信号に、取得したリンクＩＤを付加する。切替部２０２は、リンクＩＤが付加された信号を、中継装置インタフェース部２０１又は２０３へ出力する。
【０１１０】
中継装置２０−ｊの切替部２０２は、確立された通信リンクにおいて、ＲＥＣ１０が接続されているポートを経由して中継装置２０−ｊが信号を受信した場合、当該ポートを識別するＲＥＣポートＩＤ、及び、当該中継装置２０−ｊを識別するＲＥＣ装置ＩＤと接続情報にて対応付けられたリンクＩＤを取得する。切替部２０２は、受信された信号に、取得したリンクＩＤを付加する。切替部２０２は、リンクＩＤが付加された信号を、中継装置インタフェース部２０１又は２０３へ出力する。
【０１１１】
中継装置２０−ｊの切替部２０２は、確立された通信リンクにおいて、他の中継装置２０−ｍ又は２０−ｎから中継装置２０−ｊが信号を受信した場合、当該信号に付加されたリンクＩＤと接続情報にて対応付けられた、ＲＥ装置ＩＤ、ＲＥポートＩＤ、ＲＥＣ装置ＩＤ、及び、ＲＥＣポートＩＤを取得する。中継装置２０−ｊの切替部２０２は、取得した、ＲＥ装置ＩＤ又はＲＥＣ装置ＩＤにより識別される中継装置２０が中継装置２０−ｊである場合、取得した、ＲＥポートＩＤ又はＲＥＣポートＩＤにより識別されるポートへ、受信された信号を出力する。一方、中継装置２０−ｊの切替部２０２は、取得した、ＲＥ装置ＩＤ又はＲＥＣ装置ＩＤにより識別される中継装置２０が中継装置２０−ｊでない場合、受信された信号の送信元と異なる他の中継装置２０−ｍ又は２０−ｎが接続された中継装置インタフェース部２０１又は２０３へ当該信号を出力する。
【０１１２】
本例では、リンクＩＤは、中継装置２０−ｊがＲＥ３０又はＲＥＣ１０から信号を受信した場合に、中継装置２０−ｊにより、受信した信号に付加される。なお、中継装置２０−ｊは、リンクＩＤと対応付けられたタイミングにて、ＲＥ３０又はＲＥＣ１０から受信した信号を送信してもよい。この場合、リンクＩＤは、信号に付加されずに、信号が受信されたタイミングに基づいて取得されてよい。
【０１１３】
制御部２０４について説明を加える。
制御部２０４は、ＲＥＣ１０が接続されているポートを経由して接続変更依頼が受信された場合、受信された接続変更依頼に所定の情報を追加する。本例では、接続変更依頼に追加される情報は、図９に示すように、送信元装置ＩＤと、送信先装置ＩＤと、信号ＩＤと、ＲＥポートＩＤと、ＲＥＣポートＩＤと、を含む。制御部２０４は、情報の追加後の接続変更依頼を他の中継装置２０−ｍ又は２０−ｎへ送信するように、中継装置インタフェース部２０１又は２０３を制御する。
なお、中継装置２０により送信される接続変更依頼に含まれる情報の少なくとも一部は、中継装置２０に代えて、接続変更依頼の送信元であるＲＥＣ１０−ｉにより接続変更依頼に含められてもよい。
【０１１４】
本例では、接続変更依頼に含まれる送信元装置ＩＤは、ＲＥＣ１０から接続変更依頼を受信した中継装置２０（本例では、ＲＥＣ１０が接続された中継装置２０−１，２０−２又は２０−３）を識別する情報（例えば、「ＡＩＤ＃２」）である。本例では、接続変更依頼に含まれるＲＥＣポートＩＤは、ＲＥＣ１０からの接続変更依頼の受信に用いられたポートを識別する情報である。本例では、接続変更依頼に含まれる信号ＩＤは、「ＳＩＤ＃４」である。
【０１１５】
本例では、接続変更依頼に含まれる送信先装置ＩＤは、送信元装置ＩＤ及びＲＥＣポートＩＤにより識別されるＲＥＣ１０のポートとともに通信リンクを形成するＲＥ３０が接続された中継装置２０を識別する情報（例えば、「ＡＩＤ＃６」）である。本例では、接続変更依頼に含まれるＲＥポートＩＤは、上記ＲＥ３０が接続された中継装置２０−４，２０−５又は２０−６において、上記ＲＥ３０が接続されたポートを識別する情報（例えば、「ＰＩＤ＃１」）である。
【０１１６】
中継装置２０−ｊの制御部２０４は、中継装置インタフェース部２０１又は２０３により接続変更依頼が受信され、且つ、接続変更依頼に含まれる送信先装置ＩＤにより識別される中継装置２０が中継装置２０−ｊである場合、中継装置インタフェース部２０１又は２０３を制御する。本例では、この場合、制御部２０４は、接続変更通知を生成し、生成した接続変更通知を他の中継装置２０−ｍ又は２０−ｎへ送信するように、中継装置インタフェース部２０１又は２０３を制御する。更に、この場合、制御部２０４は、接続解除指示を他の中継装置２０−ｍ又は２０−ｎへ送信するように、中継装置インタフェース部２０１又は２０３を制御する。
【０１１７】
本例では、接続解除指示は、接続変更依頼と同様に、送信元装置ＩＤと、送信先装置ＩＤと、信号ＩＤと、ＲＥポートＩＤと、ＲＥＣポートＩＤと、を含む。本例では、接続解除指示に含まれる送信元装置ＩＤは、接続解除指示の送信の基となった接続変更依頼に含まれる送信先装置ＩＤである。本例では、接続解除指示に含まれる送信先装置ＩＤは、接続解除指示の送信の基となった接続変更依頼に含まれる送信元装置ＩＤである。本例では、接続解除指示に含まれる信号ＩＤは、「ＳＩＤ＃５」である。本例では、接続解除指示に含まれる、ＲＥポートＩＤ及びＲＥＣポートＩＤは、接続解除指示の送信の基となった接続変更依頼に含まれる、ＲＥポートＩＤ及びＲＥＣポートＩＤとそれぞれ同じである。
【０１１８】
制御部２０４は、接続解除指示が入力された場合、その接続解除指示に含まれる情報に基づいて、記憶部２０６が記憶する接続情報を更新する。
本例では、接続情報の更新は、下記のように行なわれる。
制御部２０４は、接続解除指示に含まれる送信元装置ＩＤ及びＲＥポートＩＤとそれぞれ一致するＲＥ装置ＩＤ及びＲＥポートＩＤを含む接続情報が記憶部２０６に記憶されている場合、当該接続情報を記憶部２０６から消去する。
以上により、接続情報の更新が行なわれる。
【０１１９】
中継装置２０−ｊの制御部２０４は、接続解除指示が受信され、且つ、接続解除指示に含まれる送信先装置ＩＤにより識別される中継装置２０が中継装置２０−ｊである場合、接続解除指示に基づいてＲＥ・ＲＥＣインタフェース部２０７〜２０９を制御する。本例では、制御部２０４は、接続解除指示に含まれるＲＥＣポートＩＤにより識別されるポートを経由して、ＲＥＣ１０へ接続解除指示を送信するように、ＲＥ・ＲＥＣインタフェース部２０７，２０８又は２０９を制御する。
【０１２０】
制御部２０４は、ＲＥ・ＲＥＣインタフェース部２０７，２０８又は２０９により、ＲＥ３０の接続が検出された場合、接続変更通知を生成し、生成した接続変更通知を他の中継装置２０−ｍ又は２０−ｎへ送信するように、中継装置インタフェース部２０１又は２０３を制御する。
中継装置２０−ｊの制御部２０４は、接続変更通知が受信され、且つ、中継装置２０−ｊにＲＥＣ１０が接続されている場合、ＲＥＣ１０が接続されている各ポートを経由して、ＲＥＣ１０へ接続変更通知を送信するように、ＲＥ・ＲＥＣインタフェース部２０７〜２０９を制御する。
【０１２１】
制御部２０４は、ＲＥＣ１０が接続されているポートを経由して接続変更応答が受信された場合、接続変更応答を他の中継装置２０−ｍ又は２０−ｎへ送信するように、中継装置インタフェース部２０１又は２０３を制御する。
【０１２２】
中継装置２０−ｊの制御部２０４は、接続変更応答が受信され、且つ、接続変更応答に含まれる送信先装置ＩＤにより識別される中継装置２０が中継装置２０−ｊである場合、中継装置インタフェース部２０１又は２０３を制御する。本例では、この場合、制御部２０４は、接続変更指示を他の中継装置２０−ｍ又は２０−ｎへ送信するように、中継装置インタフェース部２０１又は２０３を制御する。
【０１２３】
本例では、異なる複数の接続変更応答が受信された場合、制御部２０４は、所定の方式に従って１つの接続変更応答を選択する。接続変更応答の選択は、接続変更応答の送信元のＲＥＣ１０の選択と理解されてよい。換言すると、接続変更応答の選択は、ＲＥＣ１０の選択の一例である。例えば、接続変更応答は、疑似乱数に基づいてランダムに選択されてよい。また、接続変更応答は、ラウンドロビン方式に従って選択されてもよい。
【０１２４】
中継装置２０−ｊの制御部２０４は、接続変更指示が受信され、且つ、接続変更指示に含まれる送信先装置ＩＤにより識別される中継装置２０が中継装置２０−ｊである場合、ＲＥ・ＲＥＣインタフェース部２０７，２０８又は２０９を制御する。本例では、この場合、制御部２０４は、接続変更指示に含まれるＲＥＣポートＩＤにより識別されるポートを経由して、ＲＥＣ１０へ接続変更指示を送信するように、ＲＥ・ＲＥＣインタフェース部２０７，２０８又は２０９を制御する。
【０１２５】
制御部２０４は、ＲＥＣ１０が接続されているポートを経由してセル設定通知が受信された場合、セル設定通知を他の中継装置２０−ｍ又は２０−ｎへ送信するように、中継装置インタフェース部２０１又は２０３を制御する。
本例では、中継装置２０により送信されるセル設定通知は、送信元装置ＩＤと、送信先装置ＩＤと、信号ＩＤと、ＲＥポートＩＤと、ＲＥＣポートＩＤと、セル設定情報と、を含む。
【０１２６】
本例では、セル設定通知に含まれる送信元装置ＩＤは、ＲＥＣ１０からセル設定通知を受信した中継装置２０（本例では、ＲＥＣ１０が接続された中継装置２０−１，２０−２又は２０−３）を識別する情報（例えば、「ＡＩＤ＃３」）である。本例では、セル設定通知に含まれるＲＥＣポートＩＤは、ＲＥＣ１０からのセル設定通知の受信に用いられたポートを識別する情報である。本例では、セル設定通知に含まれる信号ＩＤは、「ＳＩＤ＃６」である。
【０１２７】
本例では、セル設定通知に含まれる送信先装置ＩＤは、送信元装置ＩＤ及びＲＥＣポートＩＤにより識別されるＲＥＣ１０のポートとともに通信リンクを形成するＲＥ３０が接続された中継装置２０を識別する情報（例えば、「ＡＩＤ＃６」）である。本例では、セル設定通知に含まれるＲＥポートＩＤは、上記ＲＥ３０が接続された中継装置２０−４，２０−５又は２０−６において、上記ＲＥ３０が接続されたポートを識別する情報（例えば、「ＰＩＤ＃１」）である。
【０１２８】
中継装置２０−ｊの制御部２０４は、セル設定通知が受信され、且つ、セル設定通知に含まれる送信先装置ＩＤにより識別される中継装置２０が中継装置２０−ｊである場合、ＲＥ・ＲＥＣインタフェース部２０７，２０８又は２０９を制御する。本例では、この場合、制御部２０４は、セル設定通知に含まれるＲＥポートＩＤにより識別されるポートを経由して、ＲＥ３０へセル設定情報を送信するように、ＲＥ・ＲＥＣインタフェース部２０７，２０８又は２０９を制御する。
【０１２９】
次に、削減処理及び補填処理について説明を加える。
ＲＥ・ＲＥＣインタフェース部２０７〜２０９のそれぞれは、記憶部２０６が記憶するセル情報に含まれるセル設定情報に基づいて削減処理及び補填処理を実行する。本例では、削減処理及び補填処理は、ＲＥ・ＲＥＣインタフェース部２０７〜２０９がそれぞれ備えるポートに対応付けて記憶されているセル設定情報に基づいて実行される。
【０１３０】
削減処理は、接続先のＲＥ３０又はＲＥＣ１０からのＣＰＲＩ信号に含まれるＤＢＢ信号の中から一部のＤＢＢ信号を選択し、選択した一部のＤＢＢ信号を切替部２０２へ出力し、且つ、残余の部分の出力を省略する処理である。ＤＢＢ信号は、ユーザデータの一例である。本例では、切替部２０２へ出力されるＤＢＢ信号の選択は、セル設定情報に基づいて実行される。
【０１３１】
これにより、選択された一部のＤＢＢ信号を含み、且つ、選択されなかった残余の部分のＤＢＢ信号を含まない信号が中継装置２０間で伝送される。この結果、中継装置２０間で伝送されるデータの量が減少する。中継装置２０間で伝送されるデータの量の制御は、中継装置２０間の伝送レートの制御の一例である。
【０１３２】
補填処理は、切替部２０２から入力された、接続先のＲＥ３０又はＲＥＣ１０への信号に含まれるＤＢＢ信号に、付加ＤＢＢ信号を付加し、付加後のＤＢＢ信号を接続先のＲＥ３０又はＲＥＣ１０へ送信する処理である。本例では、付加ＤＢＢ信号は、上記削減処理により消失したＤＢＢ信号である。従って、付加後のＤＢＢ信号は、上記削減処理の実行前のＤＢＢ信号に一致する。ＤＢＢ信号の付加は、ＤＢＢ信号の補填又はＤＢＢ信号の復元と表されてよい。本例では、付加ＤＢＢ信号の決定は、セル設定情報に基づいて実行される。
【０１３３】
１つの通信リンクにおける、中継装置２０とＲＥ３０又はＲＥＣ１０との間の伝送レートの最大値が２．４Ｇｂｐｓである場合を想定する。更に、ある通信リンクを形成するＲＥ３０に対して設定されたセル設定情報において、システム帯域幅が５ＭＨｚであり、且つ、送受信方式が送信ダイバーシチである場合を想定する。
【０１３４】
この場合、図１０の（Ａ）に例示するように、上記通信リンクにおいて、中継装置２０がＲＥ３０又はＲＥＣ１０から受信するＤＢＢ信号の先頭の２５％の部分ＤＢ１１及びＤＢ１２のみが有効なデータである。本例では、有効なデータは、ＲＥ３０とＵＥ５０との間で送受信されるユーザデータに基づいて生成される。上記通信リンクにおいて、中継装置２０がＲＥ３０又はＲＥＣ１０から受信するＤＢＢ信号の他の部分（換言すると、残余の部分）ＤＢ１３〜ＤＢ１５は、所定のダミーデータである。例えば、ダミーデータは、「０」を表すビットの集合である。
【０１３５】
このように、上記ＤＢＢ信号は、システム帯域幅の上限（本例では、２０ＭＨｚ）に対する、セルにて使用されるシステム帯域幅（本例では、５ＭＨｚ）の割合を、伝送レートの最大値に乗じた値（本例では、０．６Ｇｂｐｓ）に対応する量の有効なデータを含む。
【０１３６】
更に、送受信方式が送信ダイバーシチである場合、有効なデータのうちの前半ＤＢ１１と有効なデータのうちの後半ＤＢ１２とは一致する。例えば、有効なデータのうちの前半ＤＢ１１は、第１のアンテナに対するデータであり、有効なデータのうちの後半ＤＢ１２は、第２のアンテナに対するデータである。
【０１３７】
そこで、図１０の（Ｂ）に例示するように、接続先のＲＥ３０又はＲＥＣ１０からＤＢＢ信号を受信した場合、中継装置２０−ｊは、削減処理において、ＤＢＢ信号の先頭の１２．５％の部分ＤＢ１１を選択する。そして、中継装置２０−ｊは、選択した部分ＤＢ１１のみを他の中継装置２０−ｍ又は２０−ｎへ送信する。
【０１３８】
更に、図１０の（Ｃ）に例示するように、接続先のＲＥ３０又はＲＥＣ１０へＤＢＢ信号を送信する場合、中継装置２０−ｊは、補填処理において、付加ＤＢＢ信号ＤＢ１６〜ＤＢ１９を決定する。更に、中継装置２０−ｊは、補填処理において、他の中継装置２０−ｍ又は２０−ｎから受信したＤＢＢ信号ＤＢ１１に、決定した付加ＤＢＢ信号ＤＢ１６〜ＤＢ１９を付加する。そして、中継装置２０−ｊは、補填処理において、付加後のＤＢＢ信号ＤＢ１１及びＤＢ１６〜ＤＢ１９を接続先のＲＥ３０又はＲＥＣ１０へ送信する。
【０１３９】
本例では、付加ＤＢＢ信号ＤＢ１６は、他の中継装置２０−ｍ又は２０−ｎから受信されたＤＢＢ信号ＤＢ１１と同じである。本例では、付加ＤＢＢ信号ＤＢ１６は、ＤＢＢ信号ＤＢ１１を複製することにより生成される。本例では、付加ＤＢＢ信号ＤＢ１７〜ＤＢ１９は、図１０の（Ａ）におけるダミーデータＤＢ１３〜ＤＢ１５と同じである。付加ＤＢＢ信号ＤＢ１７〜ＤＢ１９の付加は、ダミーデータの追加と表されてよい。
【０１４０】
次に、ある通信リンクを形成するＲＥ３０に対して設定されたセル設定情報において、システム帯域幅が５ＭＨｚであり、且つ、送受信方式が非送信ダイバーシチである場合を想定する。
【０１４１】
この場合、図１１の（Ａ）に例示するように、上記通信リンクにおいて、中継装置２０がＲＥ３０又はＲＥＣ１０から受信するＤＢＢ信号の先頭の２５％の部分ＤＢ２１のみが有効なデータである。上記通信リンクにおいて、中継装置２０がＲＥ３０又はＲＥＣ１０から受信するＤＢＢ信号の他の部分（換言すると、残余の部分）ＤＢ２２〜ＤＢ２４は、所定のダミーデータである。
【０１４２】
そこで、図１１の（Ｂ）に例示するように、接続先のＲＥ３０又はＲＥＣ１０からＤＢＢ信号を受信した場合、中継装置２０−ｊは、削減処理において、ＤＢＢ信号の先頭の２５％の部分ＤＢ２１を選択する。そして、中継装置２０−ｊは、選択した部分ＤＢ２１のみを他の中継装置２０−ｍ又は２０−ｎへ送信する。
【０１４３】
更に、図１１の（Ｃ）に例示するように、接続先のＲＥ３０又はＲＥＣ１０へＤＢＢ信号を送信する場合、中継装置２０−ｊは、補填処理において、付加ＤＢＢ信号ＤＢ２５〜ＤＢ２７を決定する。更に、中継装置２０−ｊは、補填処理において、他の中継装置２０−ｍ又は２０−ｎから受信したＤＢＢ信号ＤＢ２１に、決定した付加ＤＢＢ信号ＤＢ２５〜ＤＢ２７を付加する。そして、中継装置２０−ｊは、補填処理において、付加後のＤＢＢ信号ＤＢ２１及びＤＢ２５〜ＤＢ２７を接続先のＲＥ３０又はＲＥＣ１０へ送信する。本例では、付加ＤＢＢ信号ＤＢ２５〜ＤＢ２７は、図１１の（Ａ）におけるダミーデータＤＢ２２〜ＤＢ２４と同じである。
【０１４４】
次に、ある通信リンクを形成するＲＥ３０に対して設定されたセル設定情報において、システム帯域幅が２０ＭＨｚであり、且つ、送受信方式が送信ダイバーシチである場合を想定する。
【０１４５】
この場合、図１２の（Ａ）に例示するように、上記通信リンクにおいて、中継装置２０がＲＥ３０又はＲＥＣ１０から受信するＤＢＢ信号の全体ＤＢ３１及びＤＢ３２が有効なデータである。
【０１４６】
更に、送受信方式が送信ダイバーシチである場合、有効なデータのうちの前半ＤＢ３１と有効なデータのうちの後半ＤＢ３２とは一致する。例えば、有効なデータのうちの前半ＤＢ３１は、第１のアンテナに対するデータであり、有効なデータのうちの後半ＤＢ３２は、第２のアンテナに対するデータである。
【０１４７】
そこで、図１２の（Ｂ）に例示するように、接続先のＲＥ３０又はＲＥＣ１０からＤＢＢ信号を受信した場合、中継装置２０−ｊは、削減処理において、ＤＢＢ信号の先頭の５０％の部分ＤＢ３１を選択する。そして、中継装置２０−ｊは、選択した部分ＤＢ３１のみを他の中継装置２０−ｍ又は２０−ｎへ送信する。
【０１４８】
更に、図１２の（Ｃ）に例示するように、接続先のＲＥ３０又はＲＥＣ１０へＤＢＢ信号を送信する場合、中継装置２０−ｊは、補填処理において、付加ＤＢＢ信号ＤＢ３３を決定する。更に、中継装置２０−ｊは、補填処理において、他の中継装置２０−ｍ又は２０−ｎから受信したＤＢＢ信号ＤＢ３１に、決定した付加ＤＢＢ信号ＤＢ３３を付加する。そして、中継装置２０−ｊは、補填処理において、付加後のＤＢＢ信号ＤＢ３１及びＤＢ３３を接続先のＲＥ３０又はＲＥＣ１０へ送信する。
【０１４９】
本例では、付加ＤＢＢ信号ＤＢ３３は、他の中継装置２０−ｍ又は２０−ｎから受信されたＤＢＢ信号ＤＢ３１と同じである。本例では、付加ＤＢＢ信号ＤＢ３３は、ＤＢＢ信号ＤＢ３１を複製することにより生成される。
【０１５０】
次に、ある通信リンクを形成するＲＥ３０に対して設定されたセル設定情報において、システム帯域幅が２０ＭＨｚであり、且つ、送受信方式が非送信ダイバーシチである場合を想定する。
【０１５１】
この場合、図１３の（Ａ）に例示するように、上記通信リンクにおいて、中継装置２０がＲＥ３０又はＲＥＣ１０から受信するＤＢＢ信号の全体ＤＢ４１が有効なデータである。
【０１５２】
そこで、図１３の（Ｂ）に例示するように、接続先のＲＥ３０又はＲＥＣ１０からＤＢＢ信号を受信した場合、中継装置２０−ｊは、削減処理において、ＤＢＢ信号の全体ＤＢ４１を選択する。そして、中継装置２０−ｊは、選択したＤＢＢ信号の全体ＤＢ４１を他の中継装置２０−ｍ又は２０−ｎへ送信する。
【０１５３】
更に、図１３の（Ｃ）に例示するように、接続先のＲＥ３０又はＲＥＣ１０へＤＢＢ信号を送信する場合、中継装置２０−ｊは、補填処理において、付加ＤＢＢ信号の付加を行なわない。従って、中継装置２０−ｊは、補填処理において、他の中継装置２０−ｍ又は２０−ｎから受信したＤＢＢ信号ＤＢ４１を接続先のＲＥ３０又はＲＥＣ１０へ送信する。
【０１５４】
なお、削減処理及び補填処理は、送受信方式に基づかずに、システム帯域幅に基づいて実行されてもよい。この変形例における、削減処理及び補填処理について説明を加える。
ある通信リンクを形成するＲＥ３０に対して設定されたセル設定情報において、システム帯域幅が５ＭＨｚであり、且つ、送受信方式が送信ダイバーシチである場合を想定する。
【０１５５】
この場合、図１４の（Ａ）に例示するように、上記通信リンクにおいて、中継装置２０がＲＥ３０又はＲＥＣ１０から受信するＤＢＢ信号の先頭の２５％の部分ＤＢ１１及びＤＢ１２のみが有効なデータである。上記通信リンクにおいて、中継装置２０がＲＥ３０又はＲＥＣ１０から受信するＤＢＢ信号の他の部分（換言すると、残余の部分）ＤＢ１３〜ＤＢ１５は、所定のダミーデータである。更に、送受信方式が送信ダイバーシチであるから、有効なデータのうちの前半ＤＢ１１と有効なデータのうちの後半ＤＢ１２とは一致する。
【０１５６】
この変形例においては、図１４の（Ｂ）に例示するように、接続先のＲＥ３０又はＲＥＣ１０からＤＢＢ信号を受信した場合、中継装置２０−ｊは、削減処理において、ＤＢＢ信号の先頭の２５％の部分ＤＢ１１及びＤＢ１２を選択する。そして、中継装置２０−ｊは、選択した部分ＤＢ１１及びＤＢ１２のみを他の中継装置２０−ｍ又は２０−ｎへ送信する。
【０１５７】
更に、図１４の（Ｃ）に例示するように、接続先のＲＥ３０又はＲＥＣ１０へＤＢＢ信号を送信する場合、中継装置２０−ｊは、補填処理において、付加ＤＢＢ信号ＤＢ１７〜ＤＢ１９を決定する。更に、中継装置２０−ｊは、補填処理において、他の中継装置２０−ｍ又は２０−ｎから受信したＤＢＢ信号ＤＢ１１及びＤＢ１２に、決定した付加ＤＢＢ信号ＤＢ１７〜ＤＢ１９を付加する。そして、中継装置２０−ｊは、補填処理において、付加後のＤＢＢ信号ＤＢ１１，ＤＢ１２及びＤＢ１７〜ＤＢ１９を接続先のＲＥ３０又はＲＥＣ１０へ送信する。本例では、付加ＤＢＢ信号ＤＢ１７〜ＤＢ１９は、図１４の（Ａ）におけるダミーデータＤＢ１３〜ＤＢ１５と同じである。
【０１５８】
中継装置インタフェース部２０１及び２０３、切替部２０２、及び、ＲＥ・ＲＥＣインタフェース部２０７〜２０９は、プログラム可能な論理回路装置（例えば、ＰＬＤ、又は、ＦＰＧＡ）によって機能が実現されてよい。制御部２０４は、ＣＰＵ等の汎用プロセッサによって機能が実現されてよい。
【０１５９】
なお、中継装置２０間の制御信号の送受信は、所定の通信プロトコル（例えば、ＨＤＬＣ）に従って中継装置２０間で通信リンクを確立し、確立された通信リンクを介して行なわれてもよい。
【０１６０】
（動作）
無線通信システム１の動作について、図１５乃至図２１を参照しながら説明する。
中継装置２０−６が備えるポートに新たにＲＥ３０−１が接続された場合を想定する。この場合、中継装置２０−６は、新たにＲＥ３０−１が接続されたことを検出する（図１５のステップＳ１０１、図１６の（１））。
【０１６１】
次いで、中継装置２０−６は、図３に例示される接続変更通知を他の中継装置２０−１〜２０−５へ報知する（図１６の（２））。これにより、中継装置２０−１〜２０−３のそれぞれは、接続変更通知を受信し、ＲＥＣ１０−１〜１０−３が接続された各ポートを経由して、接続変更通知をＲＥＣ１０−１〜１０−３へそれぞれ送信する（図１５のステップＳ１０２、図１６の（３））。
【０１６２】
これにより、ＲＥＣ１０−１〜１０−３のそれぞれは、ポート毎に接続変更通知を受信する。この場合、各ＲＥＣ１０−１〜１０−３は、ポート毎に、図１７に例示する処理を実行する。
先ず、ＲＥＣ１０−ｉは、接続変更通知を受信する（図１７のステップＳ２０１）。次いで、ＲＥＣ１０−ｉは、接続変更通知の受信に用いられたポートに対して通信リンクが既に確立されているか否かを判定する（図１７のステップＳ２０２）。
【０１６３】
通信リンクが既に確立されている場合、ＲＥＣ１０−ｉは、「Ｙｅｓ」と判定し、接続変更応答を送信せずに、図１７の処理を終了する。なお、ＲＥＣ１０−ｉは、「Ｙｅｓ」と判定した場合、接続変更通知に対する否定的応答を示す接続変更応答を送信してもよい。
通信リンクが未だ確立されていない場合、ＲＥＣ１０−ｉは、「Ｎｏ」と判定し、受信した接続変更通知からＲＥ装置情報及びＲＥ設置情報を取得する（図１７のステップＳ２０３）。
【０１６４】
次いで、ＲＥＣ１０−ｉは、取得したＲＥ設置情報と、運用セル情報と、に基づいて、ＲＥ設置情報に含まれる設置位置と対応する位置のセルからなるセル候補を抽出する（図１７のステップＳ２０４）。そして、ＲＥＣ１０−ｉは、抽出したセル候補のそれぞれに対してＲＥ３０を使用可能であるか否かを、セル候補の運用セル情報と、ＲＥ装置情報と、に基づいて判定する（図１７のステップＳ２０５）。
【０１６５】
次いで、ＲＥＣ１０−ｉは、ＲＥ３０を使用可能であると判定されたセル候補が存在するか否かを判定する（図１７のステップＳ２０６）。
ＲＥ３０を使用可能であると判定されたセル候補が存在しない場合、ＲＥＣ１０−ｉは、「Ｎｏ」と判定し、接続変更応答を送信せずに、図１７の処理を終了する。なお、ＲＥＣ１０−ｉは、「Ｎｏ」と判定した場合に、接続変更通知に対する否定的応答を示す接続変更応答を送信しても良い。
【０１６６】
ＲＥ３０を使用可能であると判定されたセル候補が存在する場合、ＲＥＣ１０−ｉは、「Ｙｅｓ」と判定し、接続変更応答を接続先の中継装置２０へ送信する（図１７のステップＳ２０７）。そして、ＲＥＣ１０−ｉは、ＲＥ３０を使用可能であると判定されたセル候補の運用セル情報を保持する（図１７のステップＳ２０８）。次いで、ＲＥＣ１０−ｉは、図１７の処理を終了する。
【０１６７】
本例では、ＲＥＣ１０−３が、中継装置２０−３においてＰＩＤ＃３により識別されるポートを経由して、接続変更応答を中継装置２０−３へ送信する場合を想定する。更に、本例では、ＲＥＣ１０−２が、中継装置２０−２においてＰＩＤ＃２により識別されるポートを経由して、接続変更応答を中継装置２０−２へ送信する場合を想定する。
【０１６８】
上記仮定に従えば、中継装置２０−２は、図１８に例示される接続変更応答に含まれる送信先装置ＩＤにより識別される中継装置２０が中継装置２０−２であるか否かを判定する。そして、送信先装置ＩＤにより識別される中継装置２０が中継装置２０−２でないため、中継装置２０−２は、図１８に例示される接続変更応答を中継装置２０−１へ送信する。同様に、中継装置２０−１は、図１８に例示される接続変更応答を中継装置２０−６へ送信する（図１５のステップＳ１０３、図１６の（４））。
更に、中継装置２０−３は、図４に例示される接続変更応答に含まれる送信先装置ＩＤにより識別される中継装置２０が中継装置２０−３であるか否かを判定する。そして、送信先装置ＩＤにより識別される中継装置２０が中継装置２０−３でないため、中継装置２０−３は、図４に例示される接続変更応答を中継装置２０−２へ送信する。同様に、中継装置２０−２は、図４に例示される接続変更応答を中継装置２０−１へ送信する。同様に、中継装置２０−１は、図４に例示される接続変更応答を中継装置２０−６へ送信する（図１５のステップＳ１０４、図１６の（４））。
【０１６９】
これにより、中継装置２０−６は、２つの接続変更応答を受信する。そして、中継装置２０−６は、受信した接続変更応答の中から１つの接続変更応答を選択することにより、ＲＥ３０−１の通信先のＲＥＣ１０及びポートを決定する（図１５のステップＳ１０５、図１６の（５））。
【０１７０】
本例では、中継装置２０−６は、ＲＥ３０−１の通信先のＲＥＣ１０及びポートとして、ＲＥＣ１０−３、及び、中継装置２０−３においてＰＩＤ＃３により識別されるポートを決定する場合を想定する。
【０１７１】
上記仮定に従えば、中継装置２０−６は、図５に例示される接続変更指示を、中継装置２０−１及び２０−２を経由して、中継装置２０−３へ送信する。これにより、中継装置２０−１〜２０−３のそれぞれは、接続変更指示を受信する。中継装置２０−６及び２０−１〜２０−３のそれぞれは、接続変更指示に含まれる情報に基づいて、記憶部２０６が記憶する接続情報を更新する。
【０１７２】
そして、中継装置２０−３は、受信した接続変更指示に含まれるＲＥＣポートＩＤにより識別されるポートを経由して、ＲＥＣ１０−３へ接続変更指示を送信する（図１５のステップＳ１０６、図１６の（６））。これにより、ＲＥＣ１０−３は、接続変更指示を受信する。この場合、ＲＥＣ１０−３は、図１９に例示する処理を実行する。
【０１７３】
先ず、ＲＥＣ１０−３は、接続変更指示を受信する（図１９のステップＳ３０１）。次いで、ＲＥＣ１０−３は、接続変更指示からＲＥＣポートＩＤを取得する（図１９のステップＳ３０２）。そして、ＲＥＣ１０−３は、保持されている運用セル情報に基づいて、図６に例示されるセル設定情報を設定する（図１５のステップＳ１０７、図１６の（７）、図１９のステップＳ３０３）。
【０１７４】
次いで、ＲＥＣ１０−３は、接続変更指示の受信に用いられたポートを経由して、設定されたセル設定情報を含むセル設定通知を接続先の中継装置２０−３へ送信する（図１９のステップＳ３０４）。そして、中継装置２０−３は、セル設定通知を中継装置２０−６へ送信する（図１５のステップＳ１０８）。これにより、中継装置２０−６は、セル設定通知を受信する。
【０１７５】
中継装置２０−３及び２０−６のそれぞれは、セル設定通知に含まれるセル設定情報に基づいて、記憶部２０６が記憶するセル情報を更新する。そして、中継装置２０−６は、セル設定通知に含まれるＲＥポートＩＤにより識別されるポートを経由して、ＲＥ３０−１へセル設定情報を送信する。これにより、ＲＥ３０−１は、セル設定情報を受信し、受信したセル設定情報を保持する。
【０１７６】
そして、ＲＥＣ１０−３は、新たに確立された通信リンクを介して、設定されたセル設定情報に従って、ＲＥＣ１０−３とＲＥ３０−１との間でユーザデータを送受信する（図１５のステップＳ１０９）。この通信リンクは、中継装置２０−３においてＰＩＤ＃３により識別されるポートと、中継装置２０−６においてＰＩＤ＃１により識別されるポートと、を結ぶ。
【０１７７】
下りリンクのユーザデータ（ＲＥ３０−１からＵＥ５０へ送信されるユーザデータ）の送受信において、ユーザデータを表すＤＢＢ信号に対して、中継装置２０−３が削減処理を実行するとともに、中継装置２０−６が補填処理を実行する。
上りリンクのユーザデータ（ＵＥ５０からＲＥ３０−１へ送信されたユーザデータ）の送受信において、ユーザデータを表すＤＢＢ信号に対して、中継装置２０−６が削減処理を実行するとともに、中継装置２０−３が補填処理を実行する。
【０１７８】
次に、中継装置２０−２においてＰＩＤ＃２により識別されるポートとＲＥ３０−１との間に通信リンクが確立されている場合において、その通信リンクに対して、ＲＥＣ１０−２の負荷に関する条件が満足された場合を想定する。この場合、ＲＥＣ１０−２は、上記ポートを経由して、接続変更依頼を中継装置２０−２へ送信する。
【０１７９】
中継装置２０−２は、受信した接続変更依頼に、送信元装置ＩＤと、送信先装置ＩＤと、信号ＩＤと、ＲＥポートＩＤと、ＲＥＣポートＩＤと、を追加し、図９に例示される、追加後の接続変更依頼を上記通信リンクを形成するＲＥ３０−１が接続された中継装置２０−６へ送信する（図２０のステップＳ４０１、図２１の（１））。
【０１８０】
次いで、中継装置２０−６は、接続変更依頼を受信した場合、図３に例示される接続変更通知を生成し、生成した接続変更通知を中継装置２０−１〜２０−５へ送信する（図２１の（２））。なお、接続変更通知の中継装置２０−１〜２０−５への送信は、接続変更通知の報知と表されてもよい。これにより、中継装置２０−１〜２０−３のそれぞれは、接続変更通知を受信し、ＲＥＣ１０−１〜１０−３が接続された各ポートを経由して、接続変更通知をＲＥＣ１０−１〜１０−３へそれぞれ送信する（図２０のステップＳ４０２、図２１の（３））。
【０１８１】
これにより、ＲＥＣ１０−１〜１０−３のそれぞれは、ポート毎に接続変更通知を受信する。この場合、各ＲＥＣ１０−１〜１０−３は、ポート毎に、図１７に例示する処理を実行する。
【０１８２】
本例では、ＲＥＣ１０−３が、中継装置２０−３においてＰＩＤ＃３により識別されるポートを経由して、接続変更応答を中継装置２０−３へ送信する場合を想定する。
上記仮定に従えば、中継装置２０−３は、図４に例示される接続変更応答を生成し、生成した接続変更応答を中継装置２０−６へ送信する（図２０のステップＳ４０３、図２１の（４））。
【０１８３】
これにより、中継装置２０−６は、接続変更応答を受信する。そして、中継装置２０−６は、受信した接続変更応答に含まれる情報に基づいて、ＲＥ３０−１の通信先のＲＥＣ１０及びポートを決定する（図２０のステップＳ４０４、図２１の（５））。
【０１８４】
本例では、中継装置２０−６は、ＲＥ３０−１の通信先のＲＥＣ１０及びポートとして、ＲＥＣ１０−３、及び、中継装置２０−３においてＰＩＤ＃３により識別されるポートを決定する。従って、中継装置２０−６は、図５に例示される接続変更指示を生成し、生成した接続変更指示を、中継装置２０−１及び２０−２を経由して、中継装置２０−３へ送信する。これにより、中継装置２０−１〜２０−３のそれぞれは、接続変更指示を受信する。中継装置２０−６及び２０−１〜２０−３のそれぞれは、接続変更指示に含まれる情報に基づいて、記憶部２０６が記憶する接続情報を更新する。
【０１８５】
そして、中継装置２０−３は、受信した接続変更指示に含まれるＲＥＣポートＩＤにより識別されるポートを経由して、ＲＥＣ１０−３へ接続変更指示を送信する（図２０のステップＳ４０５、図２１の（６））。
【０１８６】
更に、中継装置２０−６は、接続解除指示を生成し、生成した接続解除指示を、中継装置２０−１を経由して、接続変更依頼の送信元であるＲＥＣ１０−２が接続された中継装置２０−２へ送信する。これにより、中継装置２０−１及び２０−２のそれぞれは、接続解除指示を受信する。中継装置２０−６，２０−１及び２０−２のそれぞれは、接続解除指示に含まれる情報に基づいて、記憶部２０６が記憶する接続情報を更新する。
【０１８７】
そして、中継装置２０−２は、受信した接続解除指示に含まれるＲＥＣポートＩＤにより識別されるポートを経由して、ＲＥＣ１０−２へ接続解除指示を送信する（図２０のステップＳ４０６、図２１の（６））。これにより、ＲＥＣ１０−２は、接続解除指示を受信する。そして、ＲＥＣ１０−２は、セル設定情報の設定を解除する。
【０１８８】
ＲＥＣ１０−３は、接続変更指示を受信する。この場合、ＲＥＣ１０−３は、図１９に例示する処理を実行し、保持されている運用セル情報に基づいて、図６に例示されるセル設定情報を設定する（図２０のステップＳ４０７、図２１の（７））。
【０１８９】
次いで、ＲＥＣ１０−３は、中継装置２０−３を経由して、セル設定通知を中継装置２０−６へ送信する（図２０のステップＳ４０８）。これにより、中継装置２０−６は、セル設定通知を受信する。
【０１９０】
中継装置２０−３及び２０−６のそれぞれは、セル設定通知に含まれるセル設定情報に基づいて、記憶部２０６が記憶するセル情報を更新する。そして、中継装置２０−６は、セル設定通知に含まれるＲＥポートＩＤにより識別されるポートを経由して、ＲＥ３０−１へセル設定情報を送信する。これにより、ＲＥ３０−１は、セル設定情報を受信し、受信したセル設定情報を保持する。
【０１９１】
そして、ＲＥＣ１０−３は、新たに確立された通信リンクを介して、設定されたセル設定情報に従って、ＲＥＣ１０−３とＲＥ３０−１との間でユーザデータを送受信する（図２０のステップＳ４０９）。
【０１９２】
以上、説明したように、第１実施形態に係る中継装置２０−ｊは、ＲＥ３０に関する情報を複数のＲＥＣ１０へ送信し、複数のＲＥＣ１０からの当該情報に対する応答に基づいて、複数のＲＥＣ１０のうちの１つを選択する。そして、中継装置２０−ｊは、ＲＥ３０と選択したＲＥＣ１０との間の通信リンクを確立する。
【０１９３】
これによれば、ＲＥ３０と、当該ＲＥ３０に適したＲＥＣ１０と、の間の通信リンクを確立できる。また、ＲＥ３０及びＲＥＣ１０の利用効率を高めることができる。また、ＲＥＣ１０の負荷を低減できる。
また、ＲＥ３０とＲＥＣ１０との間の通信リンクの新たな確立が要求された場合に、その通信リンクにおける通信先となるＲＥＣ１０を適切に決定することができる。
【０１９４】
第１実施形態に係る中継装置２０−ｊは、ＲＥＣ１０及びＲＥ３０の間の通信リンクが確立される場合にＲＥＣ１０により設定される、ＲＥ３０とＵＥ５０との間の無線リンクに関する情報を記憶する。中継装置２０−ｊは、無線リンクに関する情報に基づいて、通信リンクにおける中継装置２０間の伝送レートを制御する。
【０１９５】
これによれば、新たに確立される通信リンクにおける中継装置２０間の伝送レートを適切に制御できる。従って、既存の通信リンクにおける伝送レートの低下を抑制しながら、新たな通信リンクを確立できる。このように、新たな通信リンクを確立しやすくすることができる。
【０１９６】
無線リンクに関する情報に応じて、中継装置２０間で伝送されるデータの一部の伝送を省略できることがある。例えば、システム帯域幅が所定の上限よりも小さい場合、ＲＥ３０又はＲＥＣ１０が中継装置２０−ｊへ送信するデータのうちの一部のデータのみが有効なデータ（例えば、ユーザデータ）であり、且つ、他の部分は、所定のダミーデータである。また、例えば、送信ダイバーシチを行なう送受信方式が用いられる場合、ＲＥ３０又はＲＥＣ１０が中継装置２０−ｊへ送信するデータのうちの一部のデータのみが有効なデータであり、且つ、他の部分は、その有効なデータと重複するデータを含む。データの重複は、データの一致と表されてよい。
従って、中継装置２０間で伝送されるデータのうちの、有効なデータと異なるデータの伝送を省略できることがある。
【０１９７】
第１実施形態に係る中継装置２０−ｊにおいて、中継装置２０間の伝送レートの制御は、通信リンクにおいて、ＲＥ３０又はＲＥＣ１０からデータを受信し、無線リンクに関する情報に基づいて、受信したデータの中から一部のデータを選択することを含む。更に、上記制御は、通信リンクにおいて、選択したデータを他の中継装置２０−ｍ又は２０−ｎへ送信することを含む。
【０１９８】
これによれば、中継装置２０−ｊは、ＲＥ３０又はＲＥＣ１０から受信したデータのうちの、有効なデータと異なる部分のデータの送信を省略する。これにより、新たに確立される通信リンクにおける中継装置２０間の伝送レートを低減できる。従って、既存の通信リンクにおける伝送レートの低下を抑制しながら、新たな通信リンクを確立できる。このように、新たな通信リンクを確立しやすくすることができる。
【０１９９】
第１実施形態に係る中継装置２０−ｊは、通信リンクにおいて、他の中継装置２０−ｍ又は２０−ｎからデータを受信し、無線リンクに関する情報に基づいて付加データを決定する。更に、中継装置２０−ｊは、通信リンクにおいて、受信したデータに、決定した付加データが付加されたデータをＲＥ３０又はＲＥＣ１０へ送信する。
【０２００】
これによれば、他の中継装置２０−ｍ又は２０−ｎから受信したデータに、当該他の中継装置２０−ｍ又は２０−ｎが送信を省略したデータが付加されたデータをＲＥ３０又はＲＥＣ１０へ送信できる。これにより、ＲＥ３０は、当該ＲＥ３０とともに通信リンクを形成するＲＥＣ１０が送信したデータと同一のデータを受信できる。また、ＲＥＣ１０は、当該ＲＥＣ１０とともに通信リンクを形成するＲＥ３０が送信したデータと同一のデータを受信できる。
【０２０１】
第１実施形態に係る中継装置２０−ｊにおいて、無線リンクに関する情報は、ＲＥ３０からＲＥＣ１０へ送信された情報に基づいてＲＥＣ１０により設定される。ＲＥ装置情報及びＲＥ設置情報は、ＲＥ３０からＲＥＣ１０へ送信された情報の一例である。
【０２０２】
これによれば、ＲＥＣ１０は、通信リンクの通信先として、いずれのＲＥ３０が選択された場合であっても、ＲＥ３０により送信された情報に応じて、無線リンクに関する情報を適切に設定することができる。この結果、ＲＥ３０とＵＥ５０との間の無線通信を適切に行なうことができる。
【０２０３】
第１実施形態に係る中継装置２０−ｊは、ＲＥ３０とＲＥＣ１０との間の通信リンクの新たな確立を要求する接続変更通知を、ＲＥ３０と複数の中継装置２０を介して接続された少なくとも１つのＲＥＣ１０のそれぞれに送信する。更に、中継装置２０−ｊは、接続変更通知に応じてＲＥＣ１０から送信された接続変更応答を受信する。加えて、中継装置２０−ｊは、受信した接続変更応答に基づいて、通信リンクにおける通信先となるＲＥＣ１０を決定する。更に、中継装置２０−ｊは、決定したＲＥＣ１０に、通信リンクの確立を指示する接続変更指示を送信する。
【０２０４】
これによれば、ＲＥ３０とＲＥＣ１０との間の通信リンクの新たな確立が要求された場合に、その通信リンクにおける通信先となるＲＥＣ１０を適切に決定することができる。
【０２０５】
第１実施形態に係る中継装置２０−ｊは、ＲＥ３０が中継装置２０−ｊに新たに接続されたことを検出し、接続の検出に応じて、接続変更通知の送信を行なう。
これによれば、ＲＥ３０が中継装置２０−ｊに新たに接続された場合に、ＲＥ３０とＲＥＣ１０との間の通信リンクの新たな確立を迅速に実行できる。
【０２０６】
第１実施形態に係る中継装置２０−ｊは、通信リンクにおける通信先の変更を要求する接続変更依頼をＲＥＣ１０から受信し、接続変更依頼の受信に応じて、接続変更通知の送信を行なう。
これによれば、通信リンクにおける通信先の変更が要求された場合に、ＲＥ３０とＲＥＣ１０との間の通信リンクの新たな確立を迅速に実行できる。
【０２０７】
第１実施形態に係る中継装置２０−ｊは、接続変更依頼の受信に応じて、接続変更依頼の送信元であるＲＥＣ１０へ、通信リンクの解除を指示する接続解除指示を送信する。
これによれば、通信リンクにおける通信先の変更が要求された場合に、その通信リンクの解除を迅速に実行できる。
【０２０８】
ところで、上記実施形態においては、上りリンク及び下りリンクの両方において削除処理及び補填処理を実行するが、上りリンク及び下りリンクの一方のみにおいて削除処理及び補填処理を実行してもよい。
なお、図２２に例示するように、複数の中継装置２０は、スター状に接続されていてもよい。また、複数の中継装置２０は、リング状及びスター状と異なる形状（例えば、メッシュ状）のネットワーク・トポロジーを有するように接続されていてもよい。
【符号の説明】
【０２０９】
１      無線通信システム
１０    ＲＥＣ
１０１  交換局インタフェース部
１０２  交換局プロトコル処理部
１０３  制御部
１０４  基地局インタフェース部
１０５  基地局プロトコル処理部
１０６  無線プロトコル処理部
１０７  変調部
１０８  無線インタフェース部
１０９  ＲＥインタフェース部
１１０  復調部
２０    中継装置
２０１，２０３  中継装置インタフェース部
２０２  切替部
２０４  制御部
２０６  記憶部
２０７〜２０９  ＲＥ・ＲＥＣインタフェース部
３０    ＲＥ
３０１  制御部
３０２  送信部
３０３  増幅器
３０４  ＢＰＦ
３０５  送信アンテナ
３０６  受信アンテナ
３０７  増幅器
３０８  受信部
４０    交換局
５０    ＵＥ
ＮＷ    通信網
【図１】
2016167696.tif 000003
【図２】
2016167696.tif 000004
【図３】
2016167696.tif 000005
【図４】
2016167696.tif 000006
【図５】
2016167696.tif 000007
【図６】
2016167696.tif 000008
【図７】
2016167696.tif 000009
【図８】
2016167696.tif 000010
【図９】
2016167696.tif 000011
【図１０】
2016167696.tif 000012
【図１１】
2016167696.tif 000013
【図１２】
2016167696.tif 000014
【図１３】
2016167696.tif 000015
【図１４】
2016167696.tif 000016
【図１５】
2016167696.tif 000017
【図１６】
2016167696.tif 000018
【図１７】
2016167696.tif 000019
【図１８】
2016167696.tif 000020
【図１９】
2016167696.tif 000021
【図２０】
2016167696.tif 000022
【図２１】
2016167696.tif 000023
【図２２】
2016167696.tif 000024